(57)【要約】【課題】突入電流による負荷への影響を確実に抑制できる上、１本の接続ラインに対する接続端子対の数を従来よりも削減することができる接続端子及びそれを備えた接続コネクタを提供する。【解決手段】挿通方向Ａにおいて二つに分割されて互いに電気的に絶縁された第１及び第２端子部１１Ｘ，１２Ｘと、第１及び第２端子部１１Ｘ，１２Ｘの間に電気的に接続される電気抵抗体３０Ｘとを備えた接続端子１０Ｘを備え、第２端子部１２Ｘが接続ラインＬ１ｂに接続される接続コネクタ１００。  挿通方向Ａにおいて二つに分割されて互いに電気的に接続された第１及び第２端子部１１Ｙ，１２Ｙを備えた接続端子１０Ｙを備え、第１端子部１１Ｙは、他方の接続端子２０Ｙとの少なくとも接触表面が電気抵抗体３０Ｙで構成され、第２端子部１２Ｙが接続ラインＬ１ｂに接続される接続コネクタ１００。【選択図】図６
2013131441.tif 000002
【特許請求の範囲】
【請求項１】
互いに挿通されて電気的に接続される一対の接続端子であって、
何れか一方の接続端子は、挿通方向において二つに分割されて互いに電気的に絶縁された第１及び第２端子部と、前記第１及び第２端子部の間に電気的に接続される電気抵抗体とを備え、
前記第１及び第２端子部のうち、当該一対の接続端子が互いに挿通されるにあたって、他方の接続端子に対して先に接続される方の端子部が前記第１端子部とされ、前記他方の接続端子に対して後で接続される方の端子部が前記第２端子部とされ、
前記第２端子部が接続ラインに接続されることを特徴とする一対の接続端子。
【請求項２】
請求項１に記載の一対の接続端子であって、
通電により警報を発する警報手段を備え、
前記警報手段は、前記電気抵抗体に直列又は並列に電気的に接続されることを特徴とする一対の接続端子。
【請求項３】
請求項２に記載の一対の接続端子であって、
前記警報手段は、通電により発光する発光体であることを特徴とする一対の接続端子。
【請求項４】
請求項１から請求項３までの何れか１項に記載の一対の接続端子であって、
予め定めた所定温度を超えると電流を遮断する電流遮断手段を備え、
前記電流遮断手段は、前記電気抵抗体に直列に電気的に接続されることを特徴とする一対の接続端子。
【請求項５】
請求項４に記載の一対の接続端子であって、
前記電流遮断手段は、前記所定温度を超えると溶断する温度ヒューズであることを特徴とする一対の接続端子。
【請求項６】
互いに挿通されて電気的に接続される一対の接続端子であって、
何れか一方の接続端子は、挿通方向において二つに分割されて互いに電気的に接続された第１及び第２端子部を備え、
前記第１及び第２端子部のうち、当該一対の接続端子が互いに挿通されるにあたって、他方の接続端子に対して先に接続される方の端子部が前記第１端子部とされ、前記他方の接続端子に対して後で接続される方の端子部が前記第２端子部とされ、
前記第１端子部は、前記他方の接続端子との少なくとも接触表面が電気抵抗体で構成され、前記第２端子部が接続ラインに接続されることを特徴とする一対の接続端子。
【請求項７】
請求項６に記載の一対の接続端子であって、
前記第１端子部は、絶縁体と、前記絶縁体に設けられて前記接触表面を構成する前記電気抵抗体の層とを備えていることを特徴とする一対の接続端子。
【請求項８】
請求項１から請求項７までの何れか１項に記載の一対の接続端子を備えていることを特徴とする接続コネクタ。
【発明の詳細な説明】
【技術分野】
【０００１】
本発明は、互いに挿通されて電気的に接続される一対の接続端子及びそれを備えた接続コネクタに関するものである。
【背景技術】
【０００２】
電源回路において、大容量のキャパシタなどの負荷や入力インピーダンスの小さい電気機器（例えば電力変換器）等の負荷に対して電源を接続する際には、定常状態で流れる電流よりも遙かに大きい電流（突入電流）が流れる。
【０００３】
この問題に対して、電源と負荷との間に、突入電流防止（突防）回路を設けることで、突入電流による負荷への影響を抑制することが従来から知られている。
【０００４】
例えば、特許文献１には、電源と負荷との間に、電源スイッチ及び短絡スイッチを直列に接続し、短絡スイッチに突入電流制限用抵抗を並列に接続し、電源スイッチがオンされた後に、制御部により、一定時間（負荷への入力電流が安定するのに必要な時間）遅れて短絡スイッチをオンする構成とされた電源回路が開示されている。
【０００５】
しかしながら、突入電流の発生は、電源が接続された瞬間（例えば数秒程度）だけであるのに対して、特許文献１に記載の構成では、短絡スイッチや制御部などの構成を備えるために、コストパフォーマンスがよくない。
【０００６】
この問題を解決するために、従来では、互いに挿通されて電気的に接続される一対の接続端子を１本の接続ラインに対して二対備えた接続コネクタにおいて、二対の接続端子のうち、一対の接続端子を、電気抵抗体を介して他の一対の接続端子に接続し、互いに挿通されるときに、一対の接続端子同士を他の一対の接続端子同士よりも先に接続するようにした接続コネクタが提案されている（例えば特許文献１，２参照）。
【先行技術文献】
【特許文献】
【０００７】
【特許文献１】特開昭６０−１５６２２５号公報
【特許文献２】特開平１−２５３９９５号公報
【特許文献３】特開平６−１５１０１８号公報
【発明の概要】
【発明が解決しようとする課題】
【０００８】
ところが、特許文献１，２に記載したような接続コネクタでは、１本の接続ラインに対して接続端子が二対必要であり、それだけ、接続コネクタに接続される電源側の回路構成や負荷側の回路構成が複雑化する。
【０００９】
そこで、本発明は、突入電流による負荷への影響を確実に抑制できる上、１本の接続ラインに対する接続端子対の数を従来よりも削減することができる一対の接続端子及びそれを備えた接続コネクタを提供することを目的とする。
【課題を解決するための手段】
【００１０】
本発明は、前記課題を解決するために、次の第１態様及び第２態様の一対の接続端子並びに接続コネクタを提供する。
【００１１】
（１）第１態様の一対の接続端子
互いに挿通されて電気的に接続される一対の接続端子であって、何れか一方の接続端子は、挿通方向において二つに分割されて互いに電気的に絶縁された第１及び第２端子部と、前記第１及び第２端子部の間に電気的に接続される電気抵抗体とを備え、前記第１及び第２端子部のうち、当該一対の接続端子が互いに挿通されるにあたって、他方の接続端子に対して先に接続される方の端子部が前記第１端子部とされ、前記他方の接続端子に対して後で接続される方の端子部が前記第２端子部とされ、前記第２端子部が接続ラインに接続されることを特徴とする一対の接続端子。
【００１２】
また、本発明は、前記本発明に係る第１態様の一対の接続端子を備えていることを特徴とする接続コネクタも提供する。
【００１３】
本発明の第１態様によれば、前記挿通方向において二つに分割されて互いに電気的に絶縁された前記第１及び第２端子部の間に前記電気抵抗体が電気的に接続され、前記他方の接続端子に対して後で接続される方の前記第２端子部が前記接続ラインに接続されるので、突入電流による前記負荷への影響を確実に抑制することができる上、１本の接続ラインに対して接続端子を一対とすることができ、これにより、接続端子対の数を従来よりも削減することが可能となる。
【００１４】
本発明の第１態様において、通電により警報を発する警報手段を備え、前記警報手段は、前記電気抵抗体に直列又は並列に電気的に接続される態様を例示できる。
【００１５】
この特定事項では、前記警報手段が前記電気抵抗体に直列又は並列に電気的に接続されるので、前記電源と前記負荷との間に電位差がなくなると前記警報手段が通電しなくなることで、前記警報手段により、前記一対の接続端子を接続する操作者に対して、前記電気抵抗体を介して前記負荷に電流が流れなくなったことを確認させることが可能となる。
【００１６】
本発明の第１態様において、前記警報手段は、通電により発光する発光体である態様を例示できる。
【００１７】
この特定事項では、前記警報手段として発光体（例えばフィラメントランプやＬＥＤ等の発光素子）を用いることで、比較的に安価でありながら、操作者に対して、前記電気抵抗体を介して前記負荷に電流が流れなくなったことを確実に確認させることが可能となる。
【００１８】
本発明において、予め定めた所定温度を超えると電流を遮断する電流遮断手段を備え、前記電流遮断手段は、前記電気抵抗体に直列に電気的に接続される態様を例示できる。
【００１９】
この特定事項では、前記所定温度を超えると電流を遮断する前記電流遮断手段が前記電気抵抗体に直列に電気的に接続されるので、たとえ前記一対の接続端子が確実に挿通されずに、前記他方の接続端子が前記他方の接続端子に対して先に接続される方の前記第１端子部に接続されている状態のままとなった場合でも、前記電気抵抗体の焼損の発生を効果的に防止することが可能となる。
【００２０】
前記電流遮断手段としては、前記所定温度を超えると溶断する温度ヒューズを例示できる。
【００２１】
この特定事項では、前記電流遮断手段として前記温度ヒューズを用いることで、安価な構成で前記電流遮断手段を実現することが可能となる。
【００２２】
（２）第２態様の一対の接続端子
互いに挿通されて電気的に接続される一対の接続端子であって、何れか一方の接続端子は、挿通方向において二つに分割されて互いに電気的に接続された第１及び第２端子部を備え、前記第１及び第２端子部のうち、当該一対の接続端子が互いに挿通されるにあたって、他方の接続端子に対して先に接続される方の端子部が前記第１端子部とされ、前記他方の接続端子に対して後で接続される方の端子部が前記第２端子部とされ、前記第１端子部は、前記他方の接続端子との少なくとも接触表面が電気抵抗体で構成され、前記第２端子部が接続ラインに接続されることを特徴とする一対の接続端子。
【００２３】
また、本発明は、前記本発明に係る第２態様の一対の接続端子を備えていることを特徴とする接続コネクタも提供する。
【００２４】
本発明の第２態様によれば、前記挿通方向において二つに分割されて互いに電気的に接続された前記第１及び第２端子部のうち、前記他方の接続端子に対して先に接続される方の前記第１端子部は、前記他方の接続端子との少なくとも接触表面が電気抵抗体で構成され、前記他方の接続端子に対して後で接続される方の前記第２端子部が前記接続ラインに接続されるので、突入電流による前記負荷への影響を確実に抑制することができる上、１本の接続ラインに対して接続端子を一対とすることができ、これにより、接続端子対の数を従来よりも削減することが可能となる。しかも、前記電気抵抗体及び前記他方の接続端子を、当該一対の接続端子が互いに挿通されるに従って抵抗値が次第に小さくなる可変抵抗器の如く機能させることができ、これにより、入力電流が安定しきらない状態での突入電流の発生を回避することが可能となる。
【００２５】
本発明の第２態様において、前記第１端子部は、絶縁体と、前記絶縁体に設けられて前記接触表面を構成する前記電気抵抗体の層とを備えている態様を例示できる。
【００２６】
この特定事項では、前記他方の接続端子に対して先に接続される方の前記第１端子部の構成を簡単にかつ安価に実現することが可能となる。
【発明の効果】
【００２７】
以上説明したように、本発明によると、突入電流による前記負荷への影響を確実に抑制できる上、１本の接続ラインに対する接続端子対の数を従来よりも削減することができる。
【図面の簡単な説明】
【００２８】
【図１】本発明に係る実施の形態に係る接続コネクタによって電源と負荷との間を電気的に接続する電源回路を示す概略構成図である。
【図２】第１実施形態に係る一対の接続端子を模式的に示す概略構成図であって、（ａ）は、左側では他方の接続端子が一方の接続端子の第１端子部に接続されている状態を示し、右側では他方の接続端子が一方の接続端子の第１及び第２端子部に接続されている状態を示す図であり、（ｂ）は、第１端子部と第２端子部との間に絶縁体が設けられている状態を示す図である。
【図３】他方の接続端子が一方の接続端子における第１端子部に接続され、さらに第２端子部に接続される状態をキャパシタにチャージされた電圧及び入力電流の時間的変化で示すグラフである。
【図４】一対の接続端子に警報手段が設けられた構成の一例を示す概略構成図であって、（ａ）は、警報手段が電気抵抗体に対して直列に電気的に接続されている状態を示す図であり、（ｂ）は、警報手段が電気抵抗体に対して並列に電気的に接続されている状態を示す図である。
【図５】一対の接続端子に電流遮断手段が設けられた構成の一例を示す概略構成図である。
【図６】第２実施形態に係る一対の接続端子を模式的に示す概略構成図であって、（ａ）は、左側では一対の接続端子の一例において他方の接続端子が一方の接続端子の第１端子部に接続されている状態を示し、右側では一対の接続端子の一例において他方の接続端子が一方の接続端子の第１及び第２端子部に接続されている状態を示す図であり、（ｂ）は、左側では一対の接続端子の他の例において他方の接続端子が一方の接続端子の第１端子部に接続されている状態を示し、右側では一対の接続端子の他の例において他方の接続端子が一方の接続端子の第１及び第２端子部に接続されている状態を示す図である。
【図７】他方の接続端子が一方の接続端子における第１端子部に接続され、さらに第２端子部に接続される状態をキャパシタにチャージされた電圧及び入力電流の時間的変化で示すグラフである。
【図８】図６に示す第２実施形態に係る一対の接続端子において電気抵抗体を層状とした例を模式的に示す概略構成図であって、（ａ）は、左側では電気抵抗体を層状とした一例において他方の接続端子が一方の接続端子の第１端子部に接続されている状態を示し、右側では電気抵抗体を層状とした一例において他方の接続端子が一方の接続端子の第１及び第２端子部に接続されている状態を示す図であり、（ｂ）は、左側では電気抵抗体を層状とした他の例において他方の接続端子が一方の接続端子の第１端子部に接続されている状態を示し、右側では電気抵抗体を層状とした他の例において他方の接続端子が一方の接続端子の第１及び第２端子部に接続されている状態を示す図である。
【図９】接続コネクタにおいて、もう一対の接続端子の一例を備えた接続例を示す概略構成図であって、（ａ）は、第１実施形態の一対の接続端子を備える接続コネクタにもう一対の接続端子を設けた例を示す図であり、（ｂ）は、第２実施形態の一対の接続端子を備える接続コネクタにもう一対の接続端子を設けた例を示す図である。
【図１０】接続コネクタにおいて、もう一対の接続端子の他の例を備えた接続例を示す概略構成図であって、（ａ）は、図２（ａ）に示す第１実施形態の一対の接続端子を備える接続コネクタにもう一対の接続端子を設けた例を示す図であり、（ｂ）は、図６（ｂ）に示す第２実施形態の一対の接続端子を備える接続コネクタにもう一対の接続端子を設けた例を示す図である。
【図１１】図１０（ａ）に示すもう一対の接続端子のうち、一方の接続端子が挿通方向において二つに分割された状態を示す概略構成図である。
【図１２】電源と負荷との間を電気的に接続する従来構成の接続コネクタを用いた電源回路を示す概略構成図であって、接続コネクタにおける一対の接続端子及びもう一対の接続端子を互いに接続していない状態を示す図である。
【図１３】従来構成の接続コネクタが接続されたときの制御部による突防リレーの動作状態及び入力電流の状態の時間的変化を示す状態遷移図であって、（ａ）は、接続コネクタが接続されてメインリレー及び突防リレーの双方がオフしている状態を示す図であり、（ｂ）は、メインリレーがオンし、突防リレーがオフして電源からの電力が突防抵抗を介してキャパシタに充電（プリチャージ）されている状態を示す図であり、（ｃ）は、キャパシタの電圧が電源の電圧になって入力電流が流れていない状態（プリチャージ完了状態）を示す図であり、（ｄ）は、メインリレー及び突防リレーの双方がオンして負荷に対して通常動作時の入力電流が流れている状態を示す図である。
【図１４】図１２及び図１３に示す電源回路においてメインリレー、突防リレー、突防抵抗、第１及び第２電圧検知手段並びに制御部を取り除いた状態を示す概略構成図であって、（ａ）は、接続コネクタにおける一対の接続端子及びもう一対の接続端子を互いに接続していない状態を示す図であり、（ｂ）は、接続コネクタが接続された瞬間の状態を示す図であり、（ｃ）は、負荷に突入電流が流れている状態を示す図である。
【図１５】図１１に示す第１実施形態の接続コネクタが接続されたときの入力電流の状態の時間的変化を示す状態遷移図であって、（ａ）は、接続コネクタにおける一対の接続端子及びもう一対の接続端子を互いに接続していない状態を示す図であり、（ｂ）は、接続コネクタにおける他方の接続端子が第１端子部に接続されている状態を示す図であり、（ｃ）は、電源からの電力が電気抵抗体を介してキャパシタに充電（プリチャージ）されている状態を示す図である。
【図１６】図１１に示す第１実施形態の接続コネクタが接続されたときの入力電流の状態の時間的変化を示す状態遷移図であって、（ａ）は、キャパシタの電圧が電源の電圧になって入力電流が流れていない状態（プリチャージ完了状態）を示す図であり、（ｂ）は、接続コネクタにおける他方の接続端子が第１端子部及び第２端子部に接続されている状態を示す図であり、（ｃ）は、負荷に対して通常動作時の入力電流が流れている状態を示す図である。
【発明を実施するための形態】
【００２９】
以下、本発明の実施の形態について添付図面を参照しつつ説明する。なお、以下の実施の形態は、本発明を具体化した例であって、本発明の技術的範囲を限定する性格のものではない。
【００３０】
図１は、本発明に係る実施の形態に係る接続コネクタ１００によって電源Ｅと負荷Ｌｏとの間を電気的に接続する電源回路２００を示す概略構成図である。
【００３１】
図１に示す電源回路２００において、接続コネクタ１００は、電源Ｅと負荷Ｌｏとの間の接続に適用することができる。
【００３２】
詳しくは、電源回路２００は、電源Ｅと負荷Ｌｏとの間に設けられた一対の接続ラインＬ１，Ｌ２と、一対の接続ラインＬ１，Ｌ２のうち一方のライン（ここでは接続ラインＬ１）上に設けられた接続コネクタ１００とを備えている。
【００３３】
電源Ｅは、ここでは直流電源（具体的にはバッテリ）とされ、負荷Ｌｏは、ここでは直流負荷とされている。なお、電源Ｅは、電源Ｅが交流電源とされ、負荷Ｌｏが交流負荷であってもよい。
【００３４】
負荷Ｌｏは、ここでは電力変換器（具体的にはインバータ）とされており、キャパシタＣａ及びインバータ回路Ｉｖを含んでいる。キャパシタＣａは、大容量の電解コンデンサとされており、接続コネクタ１００とインバータ回路Ｉｖとの間において、インバータ回路Ｉｖに並列に接続されている。なお、図１及び後述する図１２から図１６において、符号Ｖｅは電源Ｅの電圧を示しており、符号ＶｃはキャパシタＣａにチャージされた電圧を示している。
【００３５】
一方の接続ラインＬ１は、第１及び第２接続ラインＬ１ａ，Ｌ１ｂを備えている。第１接続ラインＬ１ａは、一端が電源Ｅの一方側の電極（ここでは正極側の電極）に接続され、かつ、他端が接続コネクタ１００に接続されている。第２接続ラインＬ１ｂは、一端が接続コネクタ１００に接続され、かつ、他端がインバータ回路Ｉｖの一方の端子に接続されている。他方の接続ラインＬ２は、一端が電源Ｅの他方側の電極（ここでは負極側の電極）に接続され、かつ、他端がインバータ回路Ｉｖの他方の端子に接続されている。キャパシタＣａは、接続コネクタ１００とインバータ回路Ｉｖとの間において、インバータ回路Ｉｖに対して並列に接続されている。
【００３６】
接続コネクタ１００は、第１実施形態に係る一対の接続端子１０Ｘ，２０Ｘ（例えば、後述する図２参照）又は第２実施形態に係る一対の接続端子１０Ｙ，２０Ｙ（例えば、後述する図６参照）を備えている。
【００３７】
第１実施形態に係る一対の接続端子１０Ｘ，２０Ｘ又は第２実施形態に係る一対の接続端子１０Ｙ，２０Ｙは、接続コネクタ１００における一対のコネクタケース１０１，１０２内にそれぞれ収納されている。
【００３８】
（第１実施形態）
第１実施形態に係る一対の接続端子１０Ｘ，２０Ｘは、互いに挿通されることにより、電気的に接続されるようになっている。
【００３９】
図２は、第１実施形態に係る一対の接続端子１０Ｘ，２０Ｘを模式的に示す概略構成図である。なお、図２並びに後述する図６、図１３（ｂ）、図１３（ｄ）、図１４（ｃ）、図１５（ｃ）及び図１６（ｃ）において符号Ｉａは負荷Ｌｏへの入力電流を示している。
【００４０】
図２（ａ）において、左側では他方の接続端子２０Ｘが一方の接続端子１０Ｘの第１端子部１１Ｘに接続されている状態を示しており、右側では他方の接続端子２０Ｘが一方の接続端子１０Ｘの第１及び第２端子部１１Ｘ，１２Ｘに接続されている状態を示している。また、図２（ｂ）は、第１端子部１１Ｘと第２端子部１２Ｘとの間に絶縁体１３が設けられている状態を示している。
【００４１】
図２に示すように、一対の接続端子１０Ｘ，２０Ｘのうち、何れか一方の接続端子（この例では接続端子１０Ｘ）は、挿通する側の雄端子又は挿通される側の雌端子（この例では雌端子）とされており、他方の接続端子（この例では接続端子２０Ｘ）は、挿通される側の雌端子又は挿通する側の雄側端子（この例では雄端子）とされている。
【００４２】
そして、一方の接続端子１０Ｘは、挿通方向Ａにおいて二つに分割されて互いに電気的に絶縁された第１及び第２端子部１１Ｘ，１２Ｘと、第１及び第２端子部１１Ｘ，１２Ｘの間に電気的に接続された電気抵抗体（具体的には固定抵抗器）３０Ｘとを備えている。ここで、電気抵抗体３０Ｘの抵抗値は、電源回路２００（図１参照）の突入電流によって負荷Ｌｏに影響を与えない程度の抵抗値に設定することができる。また、電気抵抗体３０Ｘは、ここでは、固定抵抗器とされているが、必要な電気抵抗値を有するものであれば、何れのものであってもよい。
【００４３】
詳しくは、第１及び第２端子部１１Ｘ，１２Ｘは、互いに離間した状態で一方のコネクタケース１０１（図１参照）に固定されて設けられている。他方の接続端子２０Ｘは、他方のコネクタケース１０２（図１参照）に固定されて設けられている。
【００４４】
第１実施形態に係る一対の接続端子１０Ｘ，２０Ｘにおいて、図２（ａ）に示す例では、第１端子部１１Ｘと第２端子部１２Ｘとの間に空間を有している。こうすることで、一対の接続端子１０Ｘ，２０Ｘを簡単に構成することができる。
【００４５】
また、第１実施形態に係る一対の接続端子１０Ｘ，２０Ｘにおいて、図２（ｂ）に示す例では、第１端子部１１Ｘと第２端子部１２Ｘとの間に絶縁体１３が設けられている。こうすることで、第１端子部１１Ｘと第２端子部１２Ｘとの間の絶縁性を維持しつつ第１端子部１１Ｘ及び第２端子部１２Ｘを一方のコネクタケース１０１に確実かつ安定的に保持することができる。しかも、絶縁体１３が他方の接続端子２０Ｘを案内する機能を有することにより他方の接続端子２０Ｘを第２端子１２Ｘに挿通させやすくすることができる。
【００４６】
第１及び第２端子部１１Ｘ，１２Ｘのうち、一対の接続端子１０Ｘ，２０Ｘが互いに挿通されるにあたって、他方の接続端子２０Ｘに対して先に接続される方の端子部が第１端子部１１Ｘとされ、他方の接続端子２０Ｘに対して後で接続される方の端子部が第２端子部１２Ｘとされている。
【００４７】
また、第２端子部１２Ｘは、接続ラインＬ１ｂに接続されている。他方の接続端子２０Ｘに接続される接続ラインＬ１ａは電源Ｅに接続されており、他方の接続端子２０Ｘに対して後で接続される方の第２端子部１２Ｘに接続される接続ラインＬ１ｂが負荷Ｌｏに接続されている。なお、他方の接続端子２０Ｘに接続される接続ラインＬ１ａが負荷Ｌｏに接続され、他方の接続端子２０Ｘに対して後で接続される方の第２端子部１２Ｘに接続される接続ラインＬ１ｂが電源Ｅに接続されてもよい。
【００４８】
具体的には、他方の接続端子２０Ｘは、挿通方向Ａに沿った棒状の部材とされており、導電性の材料からなっている。一方の接続端子１０Ｘは、他方の接続端子２０Ｙを挿入する挿入孔Ｈを有する凹状の部材とされており、導電性の材料からなっている。なお、導電性の材料としては、代表的には金属材料を例示できる。このことは、以下に説明する導電性の材料も同様である。
【００４９】
なお、一方の接続端子１０Ｘは、筒状の部材であってもよい。また、第１端子部１１Ｘは、他方の接続端子２０Ｘに対して第２端子部１２Ｘよりも先に接続される形状及び配設位置であれば、何れの形状及び配設位置であってもよい。また、第２端子部１２Ｘは、他方の接続端子２０Ｘに対して第１端子部１１Ｘよりも後で接続される形状及び配設位置であれば、何れの形状及び配設位置であってもよい。
【００５０】
図３は、他方の接続端子２０Ｘが一方の接続端子１０Ｘにおける第１端子部１１Ｘに接続され、さらに第２端子部１２Ｘに接続される状態をキャパシタＣａにチャージされた電圧Ｖｃ及び入力電流Ｉａの時間的変化で示すグラフである。図３において、鎖線はキャパシタＣａにチャージされた電圧Ｖｃ［Ｖ］を示しており、実線は入力電流Ｉａ［Ａ］を示している。なお、破線のβについては後述する。
【００５１】
以上説明した第１実施形態の一対の接続端子１０Ｘ，２０Ｘ及びそれを備えた接続コネクタ１００では、一対の接続端子１０Ｘ，２０Ｘが互いに挿通（接続）されるにあたり、先ず、一方の接続端子１０Ｘにおける第１及び第２端子部１１Ｘ，１２Ｘのうち、他方の接続端子２０Ｘに対して先に接続される方の第１端子部１１Ｘが他方の接続端子２０Ｘに接続される（図２（ａ）の左側及び図３中のα１参照）。そうすると、他方の接続端子２０Ｘに接続される接続ラインＬ１ａと、第２端子部１２Ｘに接続される接続ラインＬ１ｂとが、他方の接続端子２０Ｘ、第１端子部１１Ｘ、電気抵抗体３０Ｘ、及び、第２端子部１２Ｘを介して、電気的に接続される。この状態において、負荷Ｌｏに流れる入力電流Ｉａが一定の抵抗値を有する電気抵抗体３０Ｘによって制限された状態で安定するのに必要な時間（電流安定化時間Ｔ（図３参照））を経過させることができる。
【００５２】
次に、他方の接続端子２０Ｘに対して後で接続される方の第２端子部１２Ｘが他方の接続端子２０Ｘに接続される（図２（ａ）の右側及び図３中のα２参照）。そうすると、他方の接続端子２０Ｘに接続される接続ラインＬ１ａと、第２端子部１２Ｘに接続される接続ラインＬ１ｂとが、他方の接続端子２０Ｘ及び第２端子部１２Ｘを介して、電気的に接続される。このとき、負荷Ｌｏがオンしている場合には入力電流Ｉａを安定させた状態で負荷Ｌｏに流す状態に、或いは、負荷Ｌｏがオフしている場合にはキャパシタＣａの電圧Ｖｃと電源Ｅの電圧Ｖｅとが同電位となって負荷Ｌｏに電流を流さない状態にすることができる。これにより、突入電流による負荷Ｌｏへの影響を確実に抑制することができ、例えば、電源Ｅ（具体的にはバッテリ）、キャパシタＣａ（具体的には電解コンデンサ）、接続コネクタ１００の寿命を延ばすことが可能となる。
【００５３】
このように、第１実施形態の一対の接続端子１０Ｘ，２０Ｘ及びそれを備えた接続コネクタ１００によれば、挿通方向Ａにおいて二つに分割されて互いに電気的に絶縁された第１及び第２端子部１１Ｘ，１２Ｘの間に電気抵抗体３０Ｘが電気的に接続され、他方の接続端子２０Ｘに対して後で接続される方の第２端子部１２Ｘが接続ラインＬ１ｂに接続されるので、突入電流による負荷Ｌｏへの影響を確実に抑制することができる上、１本の接続ラインに対して接続端子を一対とすることができ、これにより、接続端子対の数を従来よりも削減することが可能となる。
【００５４】
ところで、一対の接続端子１０Ｘ，２０Ｘを接続する操作者に対しては、電気抵抗体３０Ｘを介して負荷Ｌｏ（具体的にはキャパシタＣａを含む負荷）に流れる入力電流Ｉａが安定したか否か（具体的には負荷Ｌｏがオフしている場合にキャパシタＣａの電圧Ｖｃと電源Ｅの電圧Ｖｅとが同電位となって負荷Ｌｏに電流が流れなくなったこと）を確認させることはできないことから、他方の接続端子２０Ｘが、他方の接続端子２０Ｘに対して先に接続される方の第１端子部１１Ｘに接続されてから、他方の接続端子２０Ｘに対して後で接続される方の第２端子部２１Ｘに接続されるまでに要する時間が電流安定化時間Ｔよりも短いと（図３中のα３参照）、入力電流Ｉａが安定しきらない状態での突入電流（小規模な突入電流β）が発生することがある。
【００５５】
一方、第１端子部１１Ｘが他方の接続端子２０Ｘに接続されている状態においては、電源Ｅと負荷Ｌｏ（具体的にはキャパシタＣａを含む負荷）とが接続されたときに、電源Ｅと負荷Ｌｏとの間に電位差がなくなるまでの間は（具体的にはインバータ回路Ｉｖをオフした状態で負荷Ｌｏに電力が供給されてキャパシタＣａの電圧Ｖｃと電源Ｅの電圧Ｖｅとが同電位になるまでは）電気抵抗体３０Ｘに入力電流Ｉａが流れる。そして、電源Ｅと負荷Ｌｏとの間に電位差がなくなるまでの時間（電気抵抗体３０Ｘに入力電流Ｉａが流れる時間）を電流安定化時間Ｔとすることができる。
【００５６】
かかる観点から、一対の接続端子１０Ｘ，２０Ｘは、通電により警報を発する警報手段４０を備えていてもよい。
【００５７】
図４は、一対の接続端子１０Ｘ，２０Ｘに警報手段４０が設けられた構成の一例を示す概略構成図である。図４（ａ）は、警報手段４０が電気抵抗体３０Ｘに対して直列に電気的に接続されている状態を示しており、図４（ｂ）は、警報手段４０が電気抵抗体３０Ｘに対して並列に電気的に接続されている状態を示している。
【００５８】
図４に示すように、警報手段４０は、電気抵抗体３０Ｘに対して直列（図４（ａ）参照）又は並列（図４（ｂ）参照）に電気的に接続されていることが好ましい。
【００５９】
このように、警報手段４０が電気抵抗体３０Ｘに対して直列又は並列に電気的に接続されることで、負荷Ｌｏに対して電源Ｅを接続する際に、電源Ｅと負荷Ｌｏとの間に電位差がある間は警報手段４０が通電する一方で、電源Ｅと負荷Ｌｏとの間に電位差がなくなると、警報手段４０が通電しなくなることで、警報手段４０により、一対の接続端子１０Ｘ，２０Ｘを接続する操作者に対して、電気抵抗体３０Ｘを介して負荷Ｌｏに入力電流Ｉａが流れなくなったことを確認させることができ、ひいては電流安定化時間Ｔを認識させることが可能となる。
【００６０】
警報手段４０は、通電により発光する発光体（具体的にはフィラメントランプ）とされていることが好ましい。このように、警報手段４０として発光体を用いることで、比較的に安価でありながら、操作者に対して、電気抵抗体３０Ｘを介して負荷Ｌｏに入力電流Ｉａが流れなくなったことを確実に確認させることが可能となる。
【００６１】
なお、警報手段４０は、発光体に限定されず、通電により操作者に対して、電気抵抗体３０Ｘを介して負荷Ｌｏに入力電流Ｉａが流れなくなったことを確認させることができれば、何れのものであってもよい。
【００６２】
ところで、一対の接続端子１０Ｘ，２０Ｘが確実に挿通されずに、他方の接続端子２０Ｘが他方の接続端子２０Ａに対して先に接続される方の第１端子部１１Ｘに接続されている状態のままとなった場合において、負荷Ｌｏがオン（動作）状態となって通常動作時の電流が流れ続けると、電気抵抗体３０Ｘが発熱して焼損することがある。
【００６３】
そこで、一対の接続端子１０Ｘ，２０Ｘは、予め定めた所定温度を超えると電流を遮断する電流遮断手段５０を備えていてもよい。
【００６４】
図５は、一対の接続端子１０Ｘ，２０Ｘに電流遮断手段５０が設けられた構成の一例を示す概略構成図である。
【００６５】
図５に示すように、電流遮断手段５０は、電気抵抗体３０Ｘに対して直列に電気的に接続されている。こうすることで、たとえ一対の接続端子１０Ｘ，２０Ｘが確実に挿通されずに、他方の接続端子２０Ｘが他方の接続端子２０Ｘに対して先に接続される方の第１端子部１１Ｘに接続されている状態のままとなって通常動作時の電流が流れ続けた場合でも、電気抵抗体３０Ｘの発熱による周囲温度の上昇によって電流遮断手段５０を絶縁状態にさせて電気抵抗体３０Ｘに流れる電流を遮断することができる。これにより、電気抵抗体３０Ｘの焼損の発生を効果的に防止することが可能となる。
【００６６】
電流遮断手段５０は、所定温度を超えると溶断する温度ヒューズとされていることが好ましい。このように、電流遮断手段５０として温度ヒューズを用いることで、安価な構成で電流遮断手段５０を実現することが可能となる。
【００６７】
なお、電流遮断手段５０は、図４に示すような、警報手段４０を備えた一対の接続端子１０Ｘ，２０Ｘに設けられていてもよい。
【００６８】
（第２実施形態）
第２実施形態に係る一対の接続端子１０Ｙ，２０Ｙは、互いに挿通されることにより、電気的に接続されるようになっている。
【００６９】
図６は、第２実施形態に係る一対の接続端子１０Ｙ，２０Ｙを模式的に示す概略構成図である。
【００７０】
図６（ａ）において、左側では一対の接続端子１０Ｙ，２０Ｙの一例において他方の接続端子２０Ｙが一方の接続端子１０Ｙの第１端子部１１Ｙに接続されている状態を示しており、右側では一対の接続端子１０Ｙ，２０Ｙの一例において他方の接続端子２０Ｙが一方の接続端子１０Ｙの第１及び第２端子部１１Ｙ，１２Ｙに接続されている状態を示している。また、図６（ｂ）において、左側では一対の接続端子１０Ｙ，２０Ｙの他の例において他方の接続端子２０Ｙが一方の接続端子１０Ｙの第１端子部１１Ｙに接続されている状態を示しており、右側では一対の接続端子１０Ｙ，２０Ｙの他の例において他方の接続端子２０Ｙが一方の接続端子１０Ｙの第１及び第２端子部１１Ｙ，１２Ｙに接続されている状態を示している。
【００７１】
図６に示すように、一対の接続端子１０Ｙ，２０Ｙのうち、何れか一方の接続端子（この例では接続端子１０Ｙ）は、挿通する側の雄端子又は挿通される側の雌端子（図６（ａ）の例では雌端子、図６（ｂ）の例では雄端子）とされており、他方の接続端子（この例では接続端子２０Ｙ）は、挿通される側の雌端子又は挿通する側の雄側端子（図６（ａ）の例では雄端子、図６（ｂ）の例では雌端子）とされている。
【００７２】
そして、一対の接続端子１０Ｙ，２０Ｙのうち、一方の接続端子１０Ｙは、挿通方向Ａにおいて二つに分割されて互いに電気的に接続された第１及び第２端子部１１Ｙ，１２Ｙを備えている。
【００７３】
詳しくは、第１及び第２端子部１１Ｙ，１２Ｙは、互いに電気的に接触した状態で一方のコネクタケース１０１（図１参照）に固定されて設けられている。他方の接続端子２０Ｙは、他方のコネクタケース１０２（図１参照）に固定されて設けられている。
【００７４】
第１及び第２端子部１１Ｙ，１２Ｙのうち、一対の接続端子１０Ｙ，２０Ｙが互いに挿通されるにあたって、他方の接続端子２０Ｙに対して先に接続される方の端子部が第１端子部１１Ｙとされ、他方の接続端子２０Ｙに対して後で接続される方の端子部が第２端子部１２Ｙとされている。
【００７５】
また、第１端子部１１Ｙは、他方の接続端子２０Ｙとの少なくとも接触表面（この例では全体）が電気抵抗体３０Ｙで構成されている。第２端子部１２Ｙは、接続ラインＬ１ｂに接続されている。他方の接続端子２０Ｙに接続される接続ラインＬ１ａは電源Ｅに接続されており、他方の接続端子２０Ｙに対して後で接続される方の第２端子部１２Ｙに接続される接続ラインＬ１ｂが負荷Ｌｏに接続されている。なお、他方の接続端子２０Ｙに接続される接続ラインＬ１ａが負荷Ｌｏに接続され、他方の接続端子２０Ｙに対して後で接続される方の第２端子部１２Ｙに接続される接続ラインＬ１ｂが電源Ｅに接続されてもよい。
【００７６】
具体的には、図６（ａ）に示す例では、他方の接続端子２０Ｙは、挿通方向Ａに沿った棒状の部材とされており、導電性の材料からなっている。一方の接続端子１０Ｙは、他方の接続端子２０Ｙを挿入する挿入孔Ｈを有する凹状の部材とされている。一方の接続端子１０Ｙにおいて、第１端子部１１Ｙ（電気抵抗体３０Ｙ）は、電気抵抗材料（例えば炭素系材料を含む抵抗材料）からなっており、第２端子部１２Ｙは、導電性の材料からなっている。また、図６（ｂ）に示す例では、一方の接続端子１０Ｙは、挿通方向Ａに沿った棒状の部材とされている。一方の接続端子１０Ｙにおいて、第１端子部１１Ｙ（電気抵抗体３０Ｙ）は、電気抵抗材料（例えば炭素系材料を含む抵抗材料）からなっており、第２端子部１２Ｙは、導電性の材料からなっている。他方の接続端子２０Ｙは、一方の接続端子１０Ｙを挿入する挿入孔Ｈを有する凹状の部材とされており、導電性の材料からなっている。ここで、電気抵抗体３０Ｙの抵抗値は、電源回路２００（図１参照）の突入電流によって負荷Ｌｏに影響を与えない程度の抵抗値に設定することができる。
【００７７】
なお、図６（ａ）に示す例では、一方の接続端子１０Ｙは、筒状の部材であってもよい。また、第１端子部１１Ｙは、他方の接続端子２０Ｙに対して第２端子部１２Ｙよりも先に接続される形状及び配設位置であれば、何れの形状及び配設位置であってもよい。図６（ｂ）に示す例では、他方の接続端子２０Ｙは、筒状の部材であってもよい。また、第２端子部１２Ｙは、他方の接続端子２０Ｙに対して第１端子部１１Ｙよりも後で接続される形状及び配設位置であれば、何れの形状及び配設位置であってもよい。
【００７８】
図７は、他方の接続端子２０Ｙが一方の接続端子１０Ｙにおける第１端子部１１Ｙに接続され、さらに第２端子部１２Ｙに接続される状態をキャパシタＣａにチャージされた電圧Ｖｃ及び入力電流Ｉａの時間的変化で示すグラフである。図７において、鎖線はキャパシタＣａにチャージされた電圧Ｖｃ［Ｖ］を示しており、実線は入力電流Ｉａ［Ａ］を示している。なお、破線の抵抗値Ｒａ［Ω］については後述する。
【００７９】
以上説明した第２実施形態の一対の接続端子１０Ｙ，２０Ｙ及びそれを備えた接続コネクタ１００では、一対の接続端子１０Ｙ，２０Ｙが互いに挿通（接続）されるにあたり、先ず、一方の接続端子１０Ｙにおける第１及び第２端子部１１Ｙ，１２Ｙのうち、他方の接続端子２０Ｙに対して先に接続される方の第１端子部１１Ｙにおける電気抵抗体３０Ｙが他方の接続端子２０Ｙに接続される（図６（ａ）の左側、図６（ｂ）の左側及び図７中のα１参照）。そうすると、他方の接続端子２０Ｙに接続される接続ラインＬ１ａと、第２端子部１２Ｙに接続される接続ラインＬ１ｂとが、他方の接続端子２０Ｙ、第１端子部１１Ｙにおける電気抵抗体３０Ｙ、及び、第２端子部１２Ｙを介して電気的に接続される。この状態において、負荷Ｌｏに流れる入力電流Ｉａが電気抵抗体３０Ｙによって制限された状態で安定するのに必要な時間（電流安定化時間Ｔ（図７参照））を経過させることができる。
【００８０】
次に、他方の接続端子２０Ｙに対して後で接続される方の第２端子部１２Ｙが他方の接続端子２０Ｙに接続される（図６（ａ）の右側、図６（ｂ）の右側及び図７中のα２参照）。そうすると、他方の接続端子２０Ｙに接続される接続ラインＬ１ａと、第２端子部１２Ｙに接続される接続ラインＬ１ｂとが、他方の接続端子２０Ｙ及び第２端子部１２Ｙを介して、電気的に接続される。このとき、負荷Ｌｏがオンしている場合には入力電流Ｉａを安定させた状態で負荷Ｌｏに流す状態に、或いは、負荷Ｌｏがオフしている場合にはキャパシタＣａの電圧Ｖｃと電源Ｅの電圧Ｖｅとが同電位となって負荷Ｌｏに電流を流さない状態にすることができる。これにより、突入電流による負荷Ｌｏへの影響を確実に抑制することができ、例えば、電源Ｅ（具体的にはバッテリ）、キャパシタＣａ（具体的には電解コンデンサ）、接続コネクタ１００の寿命を延ばすことが可能となる。
【００８１】
ところで、前記した第１実施形態においては、既述したとおり、他方の接続端子２０Ｘが、他方の接続端子２０Ｘに対して先に接続される方の第１端子部１１Ｘに接続されてから、他方の接続端子２０Ｘに対して後で接続される方の第２端子部１２Ｘに接続されるまでに要する時間が電流安定化時間Ｔよりも短いと（図３中のα３参照）、入力電流Ｉａが安定しきらない状態での突入電流（小規模な突入電流β）が発生することがある。
【００８２】
この点、本第２実施形態では、他方の接続端子２０Ｙに対して先に接続される方の第１端子部１１Ｙにおいて、電気抵抗体３０Ｙの抵抗値Ｒａ（図７参照）を、他方の接続端子２０Ｙに対して挿通されずに残った部分の抵抗値とすることができる。すなわち、電気抵抗体３０Ｙ及び他方の接続端子２０Ｙを、一対の接続端子１０Ｘ，２０Ｙが互いに挿通されるに従って抵抗値が次第に小さくなる可変抵抗器の如く機能させることができ、他方の接続端子２０Ｙが他方の接続端子２０Ｙに対して先に接続される方の第１端子部１１Ｙに接続されてから、他方の接続端子２０Ｙに対して後で接続される方の第２端子部１２Ｙに接続されるまでに要する時間に関わらず、他方の接続端子２０Ｙが他方の接続端子２０Ｙに対して後で接続される方の第２端子部１２Ｙに接続されるときには、負荷Ｌｏがオンしている場合には電気抵抗体３０Ｙを介して負荷Ｌｏに流れる入力電流Ｉａを既に安定した状態に、或いは、負荷Ｌｏがオフしている場合にはキャパシタＣａの電圧Ｖｃと電源Ｅの電圧Ｖｅとが同電位となって負荷Ｌｏに電流を流さない状態にすることができる。
【００８３】
このように、第２実施形態の一対の接続端子１０Ｙ，２０Ｙ及びそれを備えた接続コネクタ１００によれば、挿通方向Ａにおいて二つに分割されて互いに電気的に接続された第１及び第２端子部１１Ｙ，１２Ｙのうち、他方の接続端子２０Ｙに対して先に接続される方の第１端子部１１Ｙは、他方の接続端子２０Ｙとの少なくとも接触表面が電気抵抗体３０Ｙで構成され、他方の接続端子２０Ｙに対して後で接続される方の第２端子部１２Ｙが接続ラインＬ１ｂに接続されるので、突入電流による負荷Ｌｏへの影響を確実に抑制することができる上、１本の接続ラインに対して接続端子を一対とすることができ、これにより、接続端子対の数を従来よりも削減することが可能となる。しかも、電気抵抗体３０Ｙ及び他方の接続端子２０Ｙを、一対の接続端子１０Ｙ，２０Ｙが互いに挿通されるに従って抵抗値Ｒａが次第に小さくなる可変抵抗器の如く機能させることができ、これにより、入力電流Ｉａが安定しきらない状態での突入電流の発生を回避することが可能となる。
【００８４】
図８は、図６に示す第２実施形態に係る一対の接続端子１０Ｙ，２０Ｙにおいて電気抵抗体３０Ｙを層状とした例を模式的に示す概略構成図である。
【００８５】
図８（ａ）において、左側では電気抵抗体３０Ｙを層状とした一例において他方の接続端子２０Ｙが一方の接続端子１０Ｙの第１端子部１１Ｙに接続されている状態を示しており、右側では電気抵抗体３０Ｙを層状とした一例において他方の接続端子２０Ｙが一方の接続端子１０Ｙの第１及び第２端子部１１Ｙ，１２Ｙに接続されている状態を示している。また、図８（ｂ）において、左側では電気抵抗体３０Ｙを層状とした他の例において他方の接続端子２０Ｙが一方の接続端子１０Ｙの第１端子部１１Ｙに接続されている状態を示しており、右側では電気抵抗体３０Ｙを層状とした他の例において他方の接続端子２０Ｙが一方の接続端子１０Ｙの第１及び第２端子部１１Ｙ，１２Ｙに接続されている状態を示している。
【００８６】
図８に示すように、一対の接続端子１０Ｙ，２０Ｙのうち、何れか一方の接続端子（この例では接続端子１０Ｙ）は、挿通する側の雄端子又は挿通される側の雌端子（図８（ａ）の例では雌端子、図８（ｂ）の例では雄端子）とされており、他方の接続端子（この例では接続端子２０Ｙ）は、挿通される側の雌端子又は挿通する側の雄側端子（図８（ａ）の例では雄端子、図８（ｂ）の例では雌端子）とされている。
【００８７】
そして、第１端子部１１Ｙは、絶縁体１１１Ｙと、絶縁体１１１Ｙに設けられて他方の接続端子２０Ｙとの接触表面を構成する電気抵抗体３０Ｙの層１１２Ｙとを備えている。こうすることで、他方の接続端子２０Ｙに対して先に接続される方の第１端子部１１Ｙの構成を簡単にかつ安価に実現することが可能となる。
【００８８】
具体的には、図８（ａ）に示す例では、他方の接続端子２０Ｙは、挿通方向Ａに沿った棒状の部材とされており、導電性の材料からなっている。一方の接続端子１０Ｙは、他方の接続端子２０Ｙを挿入する挿入孔Ｈを有する凹状の部材とされている。一方の接続端子１０Ｙにおいて、第１端子部１１Ｙは、他方の接続端子２０Ｙを挿入する挿入孔Ｈを有する筒状の絶縁体１１１Ｙと、絶縁体１１１Ｙの内周面に設けられた電気抵抗材料（例えば炭素系材料を含む抵抗材料）からなる層１１２Ｙ（具体的にはリング状の電気抵抗体３０Ｙ）とからなっている。絶縁体１１１Ｙは、電気絶縁材料（例えば樹脂材料）からなっている。電気抵抗材料からなる層１１２Ｙ（電気抵抗体３０Ｙ）は、第２端子部１２Ｙに電気的に接触している。第２端子部１２Ｙは、他方の接続端子２０Ｙを挿入する挿入孔Ｈを有する凹状の部材とされており、導電性の材料からなっている。第１端子部１１Ｙと第２端子部１２Ｙとは挿入孔Ｈのサイズが同一とされている。なお、第２端子部１２Ｙは、筒状の部材とされていてもよい。
【００８９】
また、図８（ｂ）に示す例では、一方の接続端子１０Ｙは、挿通方向Ａに沿った棒状の部材とされている。一方の接続端子１０Ｙにおいて、第１端子部１１Ｙは、挿通方向Ａに沿った棒状の絶縁体１１１Ｙと、絶縁体１１１Ｙの外周面に設けられた電気抵抗材料（例えば炭素系材料を含む抵抗材料）からなる層１１２Ｙ（具体的にはリング状の電気抵抗体３０Ｙ）とからなっている。絶縁体１１１Ｙは、電気絶縁材料（例えば樹脂材料）からなっている。電気抵抗材料からなる層１１２Ｙ（電気抵抗体３０Ｙ）は、第２端子部１２Ｙに電気的に接触している。第２端子部１２Ｙは、挿通方向Ａに沿った棒状の部材とされており、導電性の材料からなっている。第１端子部１１Ｙと第２端子部１２Ｙとは幅方向のサイズが同一とされている。他方の接続端子２０Ｙは、一方の接続端子１０Ｙを挿入する挿入孔Ｈを有する凹状の部材とされており、導電性の材料からなっている。なお、他方の接続端子２０Ｙは、筒状の部材とされていてもよい。
【００９０】
図９は、接続コネクタ１００において、もう一対の接続端子１０Ｚ，２０Ｚの一例を備えた接続例を示す概略構成図である。図９（ａ）は、第１実施形態の一対の接続端子１０Ｘ，２０Ｘを備える接続コネクタ１００にもう一対の接続端子１０Ｚ，２０Ｚを設けた例を示しており、図９（ｂ）は、第２実施形態の一対の接続端子１０Ｙ，２０Ｙを備える接続コネクタ１００にもう一対の接続端子１０Ｚ，２０Ｚを設けた例を示している。
【００９１】
図９に示すもう一対の接続端子１０Ｚ，２０Ｚのうち、一方の接続端子１０Ｚは、一方の端子側の接続ラインＬ２ｂに接続されており、他方の接続端子２０Ｚは、他方の端子側の接続ラインＬ２ａに接続されている。
【００９２】
そして、図９（ａ）に示す例では、第１及び第２端子部１１Ｘ，１２Ｘは、互いに離間した状態で機器ユニット１０３に固定されて設けられている。もう一対の接続端子１０Ｚ，２０Ｚの一方の接続端子１０Ｚは、挿通方向Ａにおいて先端（挿通口）Ｑ１が第１端子部１１Ｘの先端（挿通口）Ｑ２と一致するように機器ユニット１０３に固定されて設けられている。もう一対の接続端子１０Ｚ，２０Ｚの他方の接続端子２０Ｚは、挿通方向Ａにおいて先端Ｑ３が他方の接続端子２０Ｘの先端Ｑ４と一致するように基板１０４に固定されて設けられている。
【００９３】
また、図９（ｂ）に示す例では、第１及び第２端子部１１Ｙ，１２Ｙは、互いに電気的に接触した状態で機器ユニット１０３に固定されて設けられている。もう一対の接続端子１０Ｚ，２０Ｚの一方の接続端子１０Ｚは、挿通方向Ａにおいて先端（挿通口）Ｑ１が第１端子部１１Ｙの先端（挿通口）Ｑ２と一致するように機器ユニット１０３に固定されて設けられている。もう一対の接続端子１０Ｚ，２０Ｚの他方の接続端子２０Ｚは、挿通方向Ａにおいて先端Ｑ３が他方の接続端子２０Ｙの先端Ｑ４と一致するように基板１０４に固定されて設けられている。
【００９４】
なお、図９（ａ）に示す例では、もう一対の接続端子１０Ｚ，２０Ｚを、図２（ａ）に示す第１実施形態の一対の接続端子１０Ｘ，２０Ｘを備える接続コネクタ１００に設けるようにしたが、図２（ｂ）並びに図４及び図５に示す第１実施形態の一対の接続端子１０Ｘ，２０Ｘを備える接続コネクタ１００に設けるようにしてもよい。また、図９（ｂ）に示す例では、もう一対の接続端子１０Ｚ，２０Ｚを、図６（ａ）に示す第２実施形態の一対の接続端子１０Ｙ，２０Ｙを備える接続コネクタ１００に設けるようにしたが、図６（ｂ）並びに図８（ａ）及び図８（ｂ）に示す第２実施形態の一対の接続端子１０Ｙ，２０Ｙを備える接続コネクタ１００に設けるようにしてもよい。
【００９５】
また、この例では、第１実施形態の一対の接続端子１０Ｘ，２０Ｘ及びもう一対の接続端子１０Ｚ，２０Ｚ並びに第２実施形態の一対の接続端子１０Ｙ，２０Ｙ及びもう一対の接続端子１０Ｚ，２０Ｚにおいて、一方の接続端子１０Ｘ，１０Ｙと一方の接続端子１０Ｚとで同じタイプの端子（ここでは雌端子）としたが、異なるタイプの端子にしてもよい。具体的には、一方の接続端子１０Ｘ，１０Ｙを雌端子とする場合、一方の接続端子１０Ｚを雄端子にし、一方の接続端子１０Ｘ，１０Ｙを雄端子とする場合、一方の接続端子１０Ｚを雌端子にしてもよい。同様に、他方の接続端子２０Ｘ，２０Ｙと他方の接続端子２０Ｚとで同じタイプの端子（ここでは雄端子）としたが、異なるタイプの端子にしてもよい。具体的には、他方の接続端子２０Ｘ，２０Ｙを雄端子とする場合、他方の接続端子２０Ｚを雌端子にし、他方の接続端子２０Ｘ，２０Ｙを雌端子とする場合、他方の接続端子２０Ｚを雄端子にしてもよい。
【００９６】
第１及び第２実施形態において、接続コネクタ１００を、もう一対の接続端子１０Ｚ，２０Ｚを備えた接続プラグとして使用してもよい。
【００９７】
図１０は、接続コネクタ１００において、もう一対の接続端子１０Ｚ，２０Ｚの他の例を備えた接続例を示す概略構成図である。図１０（ａ）は、図２（ａ）に示す第１実施形態の一対の接続端子１０Ｘ，２０Ｘを備える接続コネクタ１００にもう一対の接続端子１０Ｚ，２０Ｚを設けた例を示しており、図１０（ｂ）は、図６（ｂ）に示す第２実施形態の一対の接続端子１０Ｙ，２０Ｙを備える接続コネクタ１００にもう一対の接続端子１０Ｚ，２０Ｚを設けた例を示している。
【００９８】
図１０（ａ）に示すもう一対の接続端子１０Ｚ，２０Ｚのうち、一方の接続端子１０Ｚは、接続ラインＬ３を介して一対の接続端子１０Ｘ，２０Ｘにおける一方の接続端子１０Ｘの第２端子部１２Ｘに接続されており、他方の接続端子２０Ｚは、接続ラインＬ１ｂに接続されている。また、電気抵抗体３０Ｘは、第１端子部１１Ｘともう一対の接続端子１０Ｚ，２０Ｚの一方の接続端子１０Ｚとの間に接続されている。
【００９９】
そして、図１０（ａ）に示す例では、第１及び第２端子部１１Ｘ，１２Ｘは、互いに離間した状態で着脱側プラグケース１０５に固定されて設けられている。もう一対の接続端子１０Ｚ，２０Ｚの一方の接続端子１０Ｚは、挿通方向Ａにおいて先端（挿通口）Ｑ１が第１端子部１１Ｘの先端（挿通口）Ｑ２と一致するように着脱側プラグケース１０５に固定されて設けられている。もう一対の接続端子１０Ｚ，２０Ｚの他方の接続端子２０Ｚは、挿通方向Ａにおいて先端Ｑ３が他方の接続端子２０Ｘの先端Ｑ４と一致するように配線側プラグケース１０６に固定されて設けられている。
【０１００】
図１０（ｂ）に示すもう一対の接続端子１０Ｚ，２０Ｚのうち、一方の接続端子１０Ｚは、接続ラインＬ１ｂに接続されており、他方の接続端子２０Ｚは、接続ラインＬ３を介して一対の接続端子１０Ｙ，２０Ｙにおける他方の接続端子２０Ｙに接続されている。
【０１０１】
そして、図１０（ｂ）に示す例では、第１及び第２端子部１１Ｙ，１２Ｙは、互いに電気的に接触した状態で配線側プラグケース１０６に固定されて設けられている。もう一対の接続端子１０Ｚ，２０Ｚの一方の接続端子１０Ｚは、挿通方向Ａにおいて先端Ｑ３が第１端子部１１Ｙの先端Ｑ４と一致するように配線側プラグケース１０６に固定されて設けられている。もう一対の接続端子１０Ｚ，２０Ｚの他方の接続端子２０Ｚは、挿通方向Ａにおいて先端（挿通口）Ｑ１が他方の接続端子２０Ｙの先端（挿通口）Ｑ２と一致するように着脱側プラグケース１０５に固定されて設けられている。
【０１０２】
なお、図１０（ａ）に示す例では、もう一対の接続端子１０Ｚ，２０Ｚを、図２（ａ）に示す第１実施形態の一対の接続端子１０Ｘ，２０Ｘを備える接続コネクタ１００に設けるようにしたが、図２（ｂ）並びに図４及び図５に示す第１実施形態の一対の接続端子１０Ｘ，２０Ｘを備える接続コネクタ１００に設けるようにしてもよい。また、図１０（ｂ）に示す例では、もう一対の接続端子１０Ｚ，２０Ｚを、図６（ｂ）に示す第２実施形態の一対の接続端子１０Ｙ，２０Ｙを備える接続コネクタ１００に設けるようにしたが、図６（ａ）並びに図８（ａ）及び図８（ｂ）に示す第２実施形態の一対の接続端子１０Ｙ，２０Ｙを備える接続コネクタ１００に設けるようにしてもよい。
【０１０３】
また、図１０（ａ）に示すもう一対の接続端子１０Ｚ，２０Ｚのうち、一方の接続端子１０Ｚが挿通方向Ａにおいて二つに分割されていてもよい。
【０１０４】
図１１は、図１０（ａ）に示すもう一対の接続端子１０Ｚ，２０Ｚのうち、一方の接続端子１０Ｚが挿通方向Ａにおいて二つに分割された状態を示す概略構成図である。
【０１０５】
図１１に示すように、図１０（ａ）に示すもう一対の接続端子１０Ｚ，２０Ｚにおいて、一方の接続端子１０Ｚが挿通方向Ａにおいて二つに分割された第１及び第２端子部１１Ｚ，１２Ｚを備えている。第１及び第２端子部１１Ｚ、１２Ｚは、それぞれ、一対の接続端子１０Ｘ，２０Ｘにおける第１及び第２端子部１１Ｘ，１２Ｘと同一形状とされ、挿通方向Ａにおいて第１及び第２端子部１１Ｘ，１２Ｘと同一位置に配設されている。
【０１０６】
なお、第１実施形態に係る一対の接続端子１０Ｘ，２０Ｘにおいて、電流遮断手段５０（図５参照）を設けるようにしたが、第２実施形態に係る一対の接続端子１０Ｙ，２０Ｙにおいて、電流遮断手段５０を設けるようにしてもよい。
【０１０７】
（接続コネクタの使用例）
次に、本発明に係る接続コネクタの使用例について、先ず、図１２から図１４を参照しながら、従来構成の接続コネクタ（接続プラグ）及びその不都合を説明した後、図１５及び図１６を参照しながら、第１実施形態及び第２実施形態について図１１に示す第１実施形態の構成（接続プラグ）を例にとって以下に説明する。
【０１０８】
図１２は、電源Ｅと負荷Ｌｏとの間を電気的に接続する従来構成の接続コネクタ３１０を用いた電源回路３００を示す概略構成図である。図１２は、接続コネクタ３１０における一対の接続端子１１，１２及びもう一対の接続端子１３，１４を互いに接続していない状態を示している。
【０１０９】
図１２に示す電源回路３００は、電源Ｅと負荷Ｌｏとの間に設けられた一対の接続ラインＬ１，Ｌ２と、一対の接続ラインＬ１，Ｌ２のうち一方のライン（ここでは接続ラインＬ１）上に設けられた接続コネクタ（接続プラグ）３１０と、メインリレー３２０と、突入電流防止用リレー（以下、単に突防リレーという。）３３０と、突入電流防止用抵抗器（以下、単に突防抵抗）３４０、第１及び第２電圧検知手段３５１，３５２と、制御部３６０とを備えている。突防抵抗３４０は、突防リレー３３０に並列に接続されている。
【０１１０】
接続コネクタ３１０は、一対の接続端子１１，１２と、もう一対の接続端子１３，１４とを備えている。一対の接続端子１１，１２のうち、一方の接続端子１１は、挿通する側の雄端子とされており、他方の接続端子１２は、挿通される側の雌端子とされている。もう一対の接続端子１３，１４のうち、一方の接続端子１３も接続端子１１と同様に、挿通する側の雄端子とされており、他方の接続端子１４も接続端子１２と同様に、挿通される側の雌端子とされている。他方の接続端子１２及び他方の接続端子１４は、接続ラインＬ３を介して互いに接続されている。
【０１１１】
一方の接続ラインＬ１は、第１から第４接続ラインＬ１ａ〜Ｌ１ｄを備えている。第１接続ラインＬ１ａは、一端が電源Ｅの一方側の電極（ここでは正極側の電極）に接続され、かつ、他端が接続コネクタ３１０における一方の接続端子１１に接続されている。第２接続ラインＬ１ｂは、一端が接続コネクタ３１０における一方の接続端子１３に接続され、かつ、他端がメインリレー３２０の一方の端子に接続されている。第３接続ラインＬ１ｃは、一端がメインリレー３２０の他方の端子に接続され、かつ、他端が突防リレー３３０及び突防抵抗３４０の一方の端子に接続されている。第４接続ラインＬ１ｄは、一端が突防リレー３３０及び突防抵抗３４０の他方の端子に接続され、かつ、他端がインバータ回路Ｉｖの一方の端子に接続されている。他方の接続ラインＬ２は、一端が電源Ｅの他方側の電極（ここでは負極側の電極）に接続され、かつ、他端がインバータ回路Ｉｖの他方の端子に接続されている。キャパシタＣａは、突防リレー３３０とインバータ回路Ｉｖとの間において、インバータ回路Ｉｖに対して並列に接続されている。
【０１１２】
メインリレー３２０は、例えば、電気自動車等の電気駆動の移動体では、キースイッチとすることができる。突防リレー３３０は、制御部３６０の指示の下、オン・オフするようになっており、制御部３６０の出力系に接続されている。第１電圧検知手段３５１は、電源Ｅの電圧Ｖｅを検知するものであり、制御部３６０の入力系に接続されている。第２電圧検知手段３５２は、キャパシタＣａにチャージされた電圧Ｖｃを検知するものであり、制御部３６０の入力系に接続されている。
【０１１３】
制御部３６０は、メインリレー３２０がオンされて、第２電圧検知手段３５１で検知された電圧Ｖｃが第１電圧検知手段３５２で検知された電圧Ｖｅとなった場合に、突防リレー３３０をオンするようになっている。
【０１１４】
以上説明した従来構成の接続コネクタ３１０を用いた電源回路３００では、負荷Ｌｏを長期間使用しないときには、図１２に示すように、接続コネクタ３１０における一対の接続端子１１，１２及びもう一対の接続端子１３，１４を互いに接続していない状態にしておく。
【０１１５】
図１３は、従来構成の接続コネクタ３１０が接続されたときの制御部による突防リレー３３０の動作状態及び入力電流Ｉａの状態の時間的変化を示す状態遷移図である。図１３（ａ）は、接続コネクタ３１０が接続されてメインリレー３２０及び突防リレー３３０の双方がオフしている状態を示しており、図１３（ｂ）は、メインリレー３２０がオンし、突防リレー３３０がオフして電源Ｅからの電力が突防抵抗３４０を介してキャパシタＣａに充電（プリチャージ）されている状態を示しており、図１３（ｃ）は、キャパシタＣａの電圧Ｖｃが電源Ｅの電圧Ｖｅになって入力電流Ｉａが流れていない状態（プリチャージ完了状態）を示しており、図１３（ｄ）は、メインリレー３２０及び突防リレー３３０の双方がオンして負荷Ｌｏに対して通常動作時の入力電流Ｉａが流れている状態を示している。なお、図１３において、図１２に示す第１及び第２電圧検知手段３５１，３５２並びに制御部３６０は、図示を省略している。
【０１１６】
図１２に示す状態において、負荷Ｌｏを使用とするときに、接続コネクタ３１０が接続され（図３（ａ）参照）、メインスイッチ３２０がオンされると（図３（ｂ）参照）、負荷Ｌｏがオフしている場合、電源Ｅから、接続コネクタ３１０、メインリレー３２０及び突防抵抗３４０を経てキャパシタＣａに電力が供給される。次に、第２電圧検知手段３５２で検知された電圧Ｖｅが第１電圧検知手段３５１で検知された電圧Ｖｃになると（図３（ｃ）参照）、突防リレー３３０をオンし（図３（ｄ）参照）、負荷Ｌｏがオン（動作）すると、負荷Ｌｏに通常動作時の入力電流Ｉａが流れる。
【０１１７】
かかる従来構成の接続コネクタ３１０を用いた電源回路３００では、突入電流による負荷Ｌｏへの影響を回避できるものの、突入電流の発生は、電源Ｅが接続された瞬間（例えば数秒程度）だけであるに拘わらず、メインリレー３２０、突防リレー３３０、突防抵抗３４０、第１及び第２電圧検知手段３５１，３５２並びに制御部３６０を備えるために、コストパフォーマンスがよくない。
【０１１８】
そこで、例えば、メインリレー３２０、突防リレー３３０、突防抵抗３４０、第１及び第２電圧検知手段３５１，３５２並びに制御部３６０を取り除いてしまうと、次のような不都合がある。
【０１１９】
図１４は、図１２及び図１３に示す電源回路３００においてメインリレー３２０、突防リレー３３０、突防抵抗３４０、第１及び第２電圧検知手段３５１，３５２並びに制御部３６０を取り除いた状態を示す概略構成図である。図１４（ａ）は、接続コネクタ３１０における一対の接続端子１１，１２及びもう一対の接続端子１３，１４を互いに接続していない状態を示しており、図１４（ｂ）は、接続コネクタ３１０が接続された瞬間の状態を示しており、図１４（ｃ）は、負荷Ｌｏに突入電流が流れている状態を示している。
【０１２０】
図１４に示す電源回路３００では、接続コネクタ３１０における一対の接続端子１１，１２及びもう一対の接続端子１３，１４を互いに接続していない状態から（図１４（ａ）参照）、接続コネクタ３１０を接続すると、火花が発生し（図１４（ｂ）参照）、負荷Ｌｏに非常に過大な入力電流Ｉａ（突入電流）が流れる（図１４（ｃ）参照）。
【０１２１】
図１４に示す電源回路３００によると、一対の接続端子３１０を接続する操作者の安全性が低下し、一対の接続端子３１０の寿命が低下し、キャパシタＣａ（具体的には電解コンデンサ）の寿命が低下し、さらには電源Ｅ（具体的にはバッテリ）の寿命が低下する。しかも、場合によっては一対の接続端子１１，１２及びもう一対の接続端子１３，１４が溶着してしまうという不都合が発生する恐れもある。
【０１２２】
このことは、例えば、電源Ｅの内部抵抗が小さく、電源Ｅの電力が数ｋＷと大きく、また、キャパシタＣａの容量が大きく、キャパシタＣａの入力インピーダンスが小さい電源回路（具体的には電気自動車における電源回路）に用いられるような場合に特に顕著となる。
【０１２３】
この点、本第１及び第２実施形態では、簡単な構成でありながら突入電流による負荷Ｌｏへの影響を確実に抑制することができる。これについて、図１１に示す第１実施形態の接続コネクタ（接続プラグ）１００を例にとって説明する。
【０１２４】
図１５及び図１６は、図１１に示す第１実施形態の接続コネクタ１００が接続されたときの入力電流Ｉａの状態の時間的変化を示す状態遷移図である。なお、図１５及び図１６において、配線側プラグケース１０６は図示を省略している。
【０１２５】
図１５（ａ）は、接続コネクタ１００における一対の接続端子１０Ｘ，２０Ｘ及びもう一対の接続端子１０Ｚ，２０Ｚを互いに接続していない状態を示しており、図１５（ｂ）は、接続コネクタ１００における他方の接続端子２０Ｘ，２０Ｚが第１端子部１１Ｘ，１１Ｚに接続されている状態を示しており、図１５（ｃ）は、電源Ｅからの電力が電気抵抗体３０Ｘを介してキャパシタＣａに充電（プリチャージ）されている状態を示している。
【０１２６】
また、図１６（ａ）は、キャパシタＣａの電圧Ｖｃが電源Ｅの電圧Ｖｅになって入力電流Ｉａが流れていない状態（プリチャージ完了状態）を示しており、図１６（ｂ）は、接続コネクタ１００における他方の接続端子２０Ｘ，２０Ｚが第１端子部１１Ｘ，１１Ｚ及び第２端子部１２Ｘ，１２Ｚに接続されている状態を示しており、図１６（ｃ）は、負荷Ｌｏに対して通常動作時の入力電流Ｉａが流れている状態を示している。
【０１２７】
図１５及び図１６に示す接続コネクタ１００を用いた電源回路２００では、負荷Ｌｏを長期間使用しないときには、接続コネクタ１００における一対の接続端子１０Ｘ，２０Ｘ及びもう一対の接続端子１０Ｚ，２０Ｚを互いに接続していない状態にしておく（図１５（ａ）参照）。
【０１２８】
この状態において、負荷Ｌｏを使用とするときに、接続コネクタ１００における他方の接続端子２０Ｘ，２０Ｚが第１端子部１１Ｘ，１１Ｚに接続されると（図１５（ｂ）参照）、負荷Ｌｏがオフしている場合、電源Ｅから、接続コネクタ１００における他方の接続端子２０Ｘ、第１端子部１１Ｘ、電気抵抗体３０Ｘ、第１端子部１１Ｚ及び他方の接続端子２０Ｚを経てキャパシタＣａに電力が供給される（図１５（ｃ）参照）。次に、キャパシタＣａの電圧Ｖｃが電源Ｅの電圧Ｖｅとなると（図１６（ａ）参照）、接続コネクタ１００における他方の接続端子２０Ｘ，２０Ｚが第１端子部１１Ｘ，１１Ｚ及び第２端子部１２Ｘ，１２Ｚに接続され（図１６（ｂ）参照）、負荷Ｌｏがオン（動作）すると、負荷Ｌｏに通常動作時の入力電流Ｉａが流れる（図１６（ｃ）参照）。これにより、簡単な構成でありながら突入電流による負荷Ｌｏへの影響を確実に抑制することが可能となる。
【符号の説明】
【０１２９】
１０Ｘ，２０Ｘ  一対の接続端子
１０Ｙ，２０Ｙ  一対の接続端子
１１Ｘ，１２Ｘ  第１及び第２端子部
１１Ｙ，１２Ｙ  第１及び第２端子部
３０Ｘ          電気抵抗体
３０Ｙ          電気抵抗体
４０            警報手段
５０            電流遮断手段
１００          接続コネクタ
１０１，１０２  コネクタケース
１０３          機器ユニット
１０４          基板
１０５          着脱側プラグケース
１０６          配線側プラグケース
２００          電源回路
３００          電源回路
Ａ              挿通方向
Ｃａ            キャパシタ
Ｅ              電源
Ｉｖ            インバータ回路
Ｌｏ            負荷
Ｌ１            接続ライン
Ｌ１ａ          接続ライン
Ｌ１ｂ          接続ライン
Ｌ２            接続ライン
Ｌ３            接続ライン
【図１】
2013131441.tif 000003
【図２】
2013131441.tif 000004
【図３】
2013131441.tif 000005
【図４】
2013131441.tif 000006
【図５】
2013131441.tif 000007
【図６】
2013131441.tif 000008
【図７】
2013131441.tif 000009
【図８】
2013131441.tif 000010
【図９】
2013131441.tif 000011
【図１０】
2013131441.tif 000012
【図１１】
2013131441.tif 000013
【図１２】
2013131441.tif 000014
【図１３】
2013131441.tif 000015
【図１４】
2013131441.tif 000016
【図１５】
2013131441.tif 000017
【図１６】
2013131441.tif 000018
【手続補正書】
【提出日】平成23年12月28日(2011.12.28)
【手続補正１】
【補正対象書類名】明細書
【補正対象項目名】全文
【補正方法】変更
【補正の内容】
【発明の詳細な説明】
【技術分野】
【０００１】
本発明は、他方の接続端子に挿通されて電気的に接続される接続端子及びそれを備えた接続コネクタに関するものである。
【背景技術】
【０００２】
電源回路において、大容量のキャパシタなどの負荷や入力インピーダンスの小さい電気機器（例えば電力変換器）等の負荷に対して電源を接続する際には、定常状態で流れる電流よりも遙かに大きい電流（突入電流）が流れる。
【０００３】
この問題に対して、電源と負荷との間に、突入電流防止（突防）回路を設けることで、突入電流による負荷への影響を抑制することが従来から知られている。
【０００４】
例えば、特許文献１には、電源と負荷との間に、電源スイッチ及び短絡スイッチを直列に接続し、短絡スイッチに突入電流制限用抵抗を並列に接続し、電源スイッチがオンされた後に、制御部により、一定時間（負荷への入力電流が安定するのに必要な時間）遅れて短絡スイッチをオンする構成とされた電源回路が開示されている。
【０００５】
しかしながら、突入電流の発生は、電源が接続された瞬間（例えば数秒程度）だけであるのに対して、特許文献１に記載の構成では、短絡スイッチや制御部などの構成を備えるために、コストパフォーマンスがよくない。
【０００６】
この問題を解決するために、従来では、互いに挿通されて電気的に接続される一対の接続端子を１本の接続ラインに対して二対備えた接続コネクタにおいて、二対の接続端子のうち、一対の接続端子を、電気抵抗体を介して他の一対の接続端子に接続し、互いに挿通されるときに、一対の接続端子同士を他の一対の接続端子同士よりも先に接続するようにした接続コネクタが提案されている（例えば特許文献１，２参照）。
【先行技術文献】
【特許文献】
【０００７】
【特許文献１】特開昭６０−１５６２２５号公報
【特許文献２】特開平１−２５３９９５号公報
【特許文献３】特開平６−１５１０１８号公報
【発明の概要】
【発明が解決しようとする課題】
【０００８】
ところが、特許文献１，２に記載したような接続コネクタでは、１本の接続ラインに対して接続端子が二対必要であり、それだけ、接続コネクタに接続される電源側の回路構成や負荷側の回路構成が複雑化する。
【０００９】
そこで、本発明は、突入電流による負荷への影響を確実に抑制できる上、１本の接続ラインに対する接続端子対の数を従来よりも削減することができる接続端子及びそれを備えた接続コネクタを提供することを目的とする。
【課題を解決するための手段】
【００１０】
本発明は、前記課題を解決するために、次の第１態様及び第２態様の接続端子並びに接続コネクタを提供する。
【００１１】
（１）第１態様の接続端子
他方の接続端子に挿通されて電気的に接続される接続端子であって、挿通方向において二つに分割されて互いに電気的に絶縁された第１及び第２端子部と、前記第１及び第２端子部の間に電気的に接続される電気抵抗体とを備え、前記第１及び第２端子部のうち、当該接続端子と前記他方の接続端子とで構成される一対の接続端子が互いに挿通されるにあたって、前記他方の接続端子に対して先に接続される方の端子部が前記第１端子部とされ、前記他方の接続端子に対して後で接続される方の端子部が前記第２端子部とされ、前記第２端子部が接続ラインに接続されることを特徴とする接続端子。
【００１２】
また、本発明は、前記本発明に係る第１態様の接続端子を備えていることを特徴とする接続コネクタも提供する。
【００１３】
本発明の第１態様によれば、前記挿通方向において二つに分割されて互いに電気的に絶縁された前記第１及び第２端子部の間に前記電気抵抗体が電気的に接続され、前記他方の接続端子に対して後で接続される方の前記第２端子部が前記接続ラインに接続されるので、突入電流による前記負荷への影響を確実に抑制することができる上、１本の接続ラインに対して接続端子を一対とすることができ、これにより、接続端子対の数を従来よりも削減することが可能となる。
【００１４】
本発明の第１態様において、通電により警報を発する警報手段を備え、前記警報手段は、前記電気抵抗体に直列又は並列に電気的に接続される態様を例示できる。
【００１５】
この特定事項では、前記警報手段が前記電気抵抗体に直列又は並列に電気的に接続されるので、前記電源と前記負荷との間に電位差がなくなると前記警報手段が通電しなくなることで、前記警報手段により、前記一対の接続端子を接続する操作者に対して、前記電気抵抗体を介して前記負荷に電流が流れなくなったことを確認させることが可能となる。
【００１６】
本発明の第１態様において、前記警報手段は、通電により発光する発光体である態様を例示できる。
【００１７】
この特定事項では、前記警報手段として発光体（例えばフィラメントランプやＬＥＤ等の発光素子）を用いることで、比較的に安価でありながら、操作者に対して、前記電気抵抗体を介して前記負荷に電流が流れなくなったことを確実に確認させることが可能となる。
【００１８】
本発明において、予め定めた所定温度を超えると電流を遮断する電流遮断手段を備え、前記電流遮断手段は、前記電気抵抗体に直列に電気的に接続される態様を例示できる。
【００１９】
この特定事項では、前記所定温度を超えると電流を遮断する前記電流遮断手段が前記電気抵抗体に直列に電気的に接続されるので、たとえ前記一対の接続端子が確実に挿通されずに、前記他方の接続端子が前記他方の接続端子に対して先に接続される方の前記第１端子部に接続されている状態のままとなった場合でも、前記電気抵抗体の焼損の発生を効果的に防止することが可能となる。
【００２０】
前記電流遮断手段としては、前記所定温度を超えると溶断する温度ヒューズを例示できる。
【００２１】
この特定事項では、前記電流遮断手段として前記温度ヒューズを用いることで、安価な構成で前記電流遮断手段を実現することが可能となる。
【００２２】
（２）第２態様の接続端子
他方の接続端子に挿通されて電気的に接続される接続端子であって、挿通方向において二つに分割されて互いに電気的に接続された第１及び第２端子部を備え、前記第１及び第２端子部のうち、当該接続端子と前記他方の接続端子とで構成される一対の接続端子が互いに挿通されるにあたって、前記他方の接続端子に対して先に接続される方の端子部が前記第１端子部とされ、前記他方の接続端子に対して後で接続される方の端子部が前記第２端子部とされ、前記第１端子部は、前記他方の接続端子との少なくとも接触表面が電気抵抗体で構成され、前記第２端子部が接続ラインに接続されることを特徴とする接続端子。
【００２３】
また、本発明は、前記本発明に係る第２態様の接続端子を備えていることを特徴とする接続コネクタも提供する。
【００２４】
本発明の第２態様によれば、前記挿通方向において二つに分割されて互いに電気的に接続された前記第１及び第２端子部のうち、前記他方の接続端子に対して先に接続される方の前記第１端子部は、前記他方の接続端子との少なくとも接触表面が電気抵抗体で構成され、前記他方の接続端子に対して後で接続される方の前記第２端子部が前記接続ラインに接続されるので、突入電流による前記負荷への影響を確実に抑制することができる上、１本の接続ラインに対して接続端子を一対とすることができ、これにより、接続端子対の数を従来よりも削減することが可能となる。しかも、前記電気抵抗体及び前記他方の接続端子を、前記一対の接続端子が互いに挿通されるに従って抵抗値が次第に小さくなる可変抵抗器の如く機能させることができ、これにより、入力電流が安定しきらない状態での突入電流の発生を回避することが可能となる。
【００２５】
本発明の第２態様において、前記第１端子部は、絶縁体と、前記絶縁体に設けられて前記接触表面を構成する前記電気抵抗体の層とを備えている態様を例示できる。
【００２６】
この特定事項では、前記他方の接続端子に対して先に接続される方の前記第１端子部の構成を簡単にかつ安価に実現することが可能となる。
【発明の効果】
【００２７】
以上説明したように、本発明によると、突入電流による前記負荷への影響を確実に抑制できる上、１本の接続ラインに対する接続端子対の数を従来よりも削減することができる。
【図面の簡単な説明】
【００２８】
【図１】本発明に係る実施の形態に係る接続コネクタによって電源と負荷との間を電気的に接続する電源回路を示す概略構成図である。
【図２】第１実施形態に係る接続端子を含む一対の接続端子を模式的に示す概略構成図であって、（ａ）は、左側では他方の接続端子が一方の接続端子の第１端子部に接続されている状態を示し、右側では他方の接続端子が一方の接続端子の第１及び第２端子部に接続されている状態を示す図であり、（ｂ）は、第１端子部と第２端子部との間に絶縁体が設けられている状態を示す図である。
【図３】他方の接続端子が一方の接続端子における第１端子部に接続され、さらに第２端子部に接続される状態をキャパシタにチャージされた電圧及び入力電流の時間的変化で示すグラフである。
【図４】接続端子に警報手段が設けられた構成の一例を示す概略構成図であって、（ａ）は、警報手段が電気抵抗体に対して直列に電気的に接続されている状態を示す図であり、（ｂ）は、警報手段が電気抵抗体に対して並列に電気的に接続されている状態を示す図である。
【図５】接続端子に電流遮断手段が設けられた構成の一例を示す概略構成図である。
【図６】第２実施形態に係る接続端子を含む一対の接続端子を模式的に示す概略構成図であって、（ａ）は、左側では一対の接続端子の一例において他方の接続端子が一方の接続端子の第１端子部に接続されている状態を示し、右側では一対の接続端子の一例において他方の接続端子が一方の接続端子の第１及び第２端子部に接続されている状態を示す図であり、（ｂ）は、左側では一対の接続端子の他の例において他方の接続端子が一方の接続端子の第１端子部に接続されている状態を示し、右側では一対の接続端子の他の例において他方の接続端子が一方の接続端子の第１及び第２端子部に接続されている状態を示す図である。
【図７】他方の接続端子が一方の接続端子における第１端子部に接続され、さらに第２端子部に接続される状態をキャパシタにチャージされた電圧及び入力電流の時間的変化で示すグラフである。
【図８】図６に示す第２実施形態に係る接続端子において電気抵抗体を層状とした例を模式的に示す概略構成図であって、（ａ）は、左側では電気抵抗体を層状とした一例において他方の接続端子が一方の接続端子の第１端子部に接続されている状態を示し、右側では電気抵抗体を層状とした一例において他方の接続端子が一方の接続端子の第１及び第２端子部に接続されている状態を示す図であり、（ｂ）は、左側では電気抵抗体を層状とした他の例において他方の接続端子が一方の接続端子の第１端子部に接続されている状態を示し、右側では電気抵抗体を層状とした他の例において他方の接続端子が一方の接続端子の第１及び第２端子部に接続されている状態を示す図である。
【図９】接続コネクタにおいて、もう一対の接続端子の一例を備えた接続例を示す概略構成図であって、（ａ）は、第１実施形態の一対の接続端子を備える接続コネクタにもう一対の接続端子を設けた例を示す図であり、（ｂ）は、第２実施形態の一対の接続端子を備える接続コネクタにもう一対の接続端子を設けた例を示す図である。
【図１０】接続コネクタにおいて、もう一対の接続端子の他の例を備えた接続例を示す概略構成図であって、（ａ）は、図２（ａ）に示す第１実施形態の接続端子を含む一対の接続端子を備える接続コネクタにもう一対の接続端子を設けた例を示す図であり、（ｂ）は、図６（ｂ）に示す第２実施形態の接続端子を含む一対の接続端子を備える接続コネクタにもう一対の接続端子を設けた例を示す図である。
【図１１】図１０（ａ）に示すもう一対の接続端子のうち、一方の接続端子が挿通方向において二つに分割された状態を示す概略構成図である。
【図１２】電源と負荷との間を電気的に接続する従来構成の接続コネクタを用いた電源回路を示す概略構成図であって、接続コネクタにおける一対の接続端子及びもう一対の接続端子を互いに接続していない状態を示す図である。
【図１３】従来構成の接続コネクタが接続されたときの制御部による突防リレーの動作状態及び入力電流の状態の時間的変化を示す状態遷移図であって、（ａ）は、接続コネクタが接続されてメインリレー及び突防リレーの双方がオフしている状態を示す図であり、（ｂ）は、メインリレーがオンし、突防リレーがオフして電源からの電力が突防抵抗を介してキャパシタに充電（プリチャージ）されている状態を示す図であり、（ｃ）は、キャパシタの電圧が電源の電圧になって入力電流が流れていない状態（プリチャージ完了状態）を示す図であり、（ｄ）は、メインリレー及び突防リレーの双方がオンして負荷に対して通常動作時の入力電流が流れている状態を示す図である。
【図１４】図１２及び図１３に示す電源回路においてメインリレー、突防リレー、突防抵抗、第１及び第２電圧検知手段並びに制御部を取り除いた状態を示す概略構成図であって、（ａ）は、接続コネクタにおける一対の接続端子及びもう一対の接続端子を互いに接続していない状態を示す図であり、（ｂ）は、接続コネクタが接続された瞬間の状態を示す図であり、（ｃ）は、負荷に突入電流が流れている状態を示す図である。
【図１５】図１１に示す第１実施形態の接続コネクタが接続されたときの入力電流の状態の時間的変化を示す状態遷移図であって、（ａ）は、接続コネクタにおける一対の接続端子及びもう一対の接続端子を互いに接続していない状態を示す図であり、（ｂ）は、接続コネクタにおける他方の接続端子が第１端子部に接続されている状態を示す図であり、（ｃ）は、電源からの電力が電気抵抗体を介してキャパシタに充電（プリチャージ）されている状態を示す図である。
【図１６】図１１に示す第１実施形態の接続コネクタが接続されたときの入力電流の状態の時間的変化を示す状態遷移図であって、（ａ）は、キャパシタの電圧が電源の電圧になって入力電流が流れていない状態（プリチャージ完了状態）を示す図であり、（ｂ）は、接続コネクタにおける他方の接続端子が第１端子部及び第２端子部に接続されている状態を示す図であり、（ｃ）は、負荷に対して通常動作時の入力電流が流れている状態を示す図である。
【発明を実施するための形態】
【００２９】
以下、本発明の実施の形態について添付図面を参照しつつ説明する。なお、以下の実施の形態は、本発明を具体化した例であって、本発明の技術的範囲を限定する性格のものではない。
【００３０】
図１は、本発明に係る実施の形態に係る接続コネクタ１００によって電源Ｅと負荷Ｌｏとの間を電気的に接続する電源回路２００を示す概略構成図である。
【００３１】
図１に示す電源回路２００において、接続コネクタ１００は、電源Ｅと負荷Ｌｏとの間の接続に適用することができる。
【００３２】
詳しくは、電源回路２００は、電源Ｅと負荷Ｌｏとの間に設けられた一対の接続ラインＬ１，Ｌ２と、一対の接続ラインＬ１，Ｌ２のうち一方のライン（ここでは接続ラインＬ１）上に設けられた接続コネクタ１００とを備えている。
【００３３】
電源Ｅは、ここでは直流電源（具体的にはバッテリ）とされ、負荷Ｌｏは、ここでは直流負荷とされている。なお、電源Ｅは、電源Ｅが交流電源とされ、負荷Ｌｏが交流負荷であってもよい。
【００３４】
負荷Ｌｏは、ここでは電力変換器（具体的にはインバータ）とされており、キャパシタＣａ及びインバータ回路Ｉｖを含んでいる。キャパシタＣａは、大容量の電解コンデンサとされており、接続コネクタ１００とインバータ回路Ｉｖとの間において、インバータ回路Ｉｖに並列に接続されている。なお、図１及び後述する図１２から図１６において、符号Ｖｅは電源Ｅの電圧を示しており、符号ＶｃはキャパシタＣａにチャージされた電圧を示している。
【００３５】
一方の接続ラインＬ１は、第１及び第２接続ラインＬ１ａ，Ｌ１ｂを備えている。第１接続ラインＬ１ａは、一端が電源Ｅの一方側の電極（ここでは正極側の電極）に接続され、かつ、他端が接続コネクタ１００に接続されている。第２接続ラインＬ１ｂは、一端が接続コネクタ１００に接続され、かつ、他端がインバータ回路Ｉｖの一方の端子に接続されている。他方の接続ラインＬ２は、一端が電源Ｅの他方側の電極（ここでは負極側の電極）に接続され、かつ、他端がインバータ回路Ｉｖの他方の端子に接続されている。キャパシタＣａは、接続コネクタ１００とインバータ回路Ｉｖとの間において、インバータ回路Ｉｖに対して並列に接続されている。
【００３６】
接続コネクタ１００は、第１実施形態に係る接続端子１０Ｘを含む一対の接続端子１０Ｘ，２０Ｘ（例えば、後述する図２参照）又は第２実施形態に係る接続端子１０Ｙを含む一対の接続端子１０Ｙ，２０Ｙ（例えば、後述する図６参照）を備えている。
【００３７】
第１実施形態に係る接続端子１０Ｘを含む一対の接続端子１０Ｘ，２０Ｘ又は第２実施形態に係る接続端子１０Ｙを含む一対の接続端子１０Ｙ，２０Ｙは、接続コネクタ１００における一対のコネクタケース１０１，１０２内にそれぞれ収納されている。
【００３８】
（第１実施形態）
第１実施形態に係る接続端子１０Ｘを含む一対の接続端子１０Ｘ，２０Ｘは、互いに挿通されることにより、電気的に接続されるようになっている。
【００３９】
図２は、第１実施形態に係る接続端子１０Ｘを含む一対の接続端子１０Ｘ，２０Ｘを模式的に示す概略構成図である。なお、図２並びに後述する図６、図１３（ｂ）、図１３（ｄ）、図１４（ｃ）、図１５（ｃ）及び図１６（ｃ）において符号Ｉａは負荷Ｌｏへの入力電流を示している。
【００４０】
図２（ａ）において、左側では他方の接続端子２０Ｘが一方の接続端子１０Ｘの第１端子部１１Ｘに接続されている状態を示しており、右側では他方の接続端子２０Ｘが一方の接続端子１０Ｘの第１及び第２端子部１１Ｘ，１２Ｘに接続されている状態を示している。また、図２（ｂ）は、第１端子部１１Ｘと第２端子部１２Ｘとの間に絶縁体１３が設けられている状態を示している。
【００４１】
図２に示すように、一対の接続端子１０Ｘ，２０Ｘのうち、何れか一方の接続端子（この例では接続端子１０Ｘ）は、挿通する側の雄端子又は挿通される側の雌端子（この例では雌端子）とされており、他方の接続端子（この例では接続端子２０Ｘ）は、挿通される側の雌端子又は挿通する側の雄側端子（この例では雄端子）とされている。
【００４２】
そして、一方の接続端子１０Ｘは、挿通方向Ａにおいて二つに分割されて互いに電気的に絶縁された第１及び第２端子部１１Ｘ，１２Ｘと、第１及び第２端子部１１Ｘ，１２Ｘの間に電気的に接続された電気抵抗体（具体的には固定抵抗器）３０Ｘとを備えている。ここで、電気抵抗体３０Ｘの抵抗値は、電源回路２００（図１参照）の突入電流によって負荷Ｌｏに影響を与えない程度の抵抗値に設定することができる。また、電気抵抗体３０Ｘは、ここでは、固定抵抗器とされているが、必要な電気抵抗値を有するものであれば、何れのものであってもよい。
【００４３】
詳しくは、第１及び第２端子部１１Ｘ，１２Ｘは、互いに離間した状態で一方のコネクタケース１０１（図１参照）に固定されて設けられている。他方の接続端子２０Ｘは、他方のコネクタケース１０２（図１参照）に固定されて設けられている。
【００４４】
第１実施形態に係る接続端子１０Ｘにおいて、図２（ａ）に示す例では、第１端子部１１Ｘと第２端子部１２Ｘとの間に空間を有している。こうすることで、接続端子１０Ｘを簡単に構成することができる。
【００４５】
また、第１実施形態に係る接続端子１０Ｘにおいて、図２（ｂ）に示す例では、第１端子部１１Ｘと第２端子部１２Ｘとの間に絶縁体１３が設けられている。こうすることで、第１端子部１１Ｘと第２端子部１２Ｘとの間の絶縁性を維持しつつ第１端子部１１Ｘ及び第２端子部１２Ｘを一方のコネクタケース１０１に確実かつ安定的に保持することができる。しかも、絶縁体１３が他方の接続端子２０Ｘを案内する機能を有することにより他方の接続端子２０Ｘを第２端子１２Ｘに挿通させやすくすることができる。
【００４６】
第１及び第２端子部１１Ｘ，１２Ｘのうち、一対の接続端子１０Ｘ，２０Ｘが互いに挿通されるにあたって、他方の接続端子２０Ｘに対して先に接続される方の端子部が第１端子部１１Ｘとされ、他方の接続端子２０Ｘに対して後で接続される方の端子部が第２端子部１２Ｘとされている。
【００４７】
また、第２端子部１２Ｘは、接続ラインＬ１ｂに接続されている。他方の接続端子２０Ｘに接続される接続ラインＬ１ａは電源Ｅに接続されており、他方の接続端子２０Ｘに対して後で接続される方の第２端子部１２Ｘに接続される接続ラインＬ１ｂが負荷Ｌｏに接続されている。なお、他方の接続端子２０Ｘに接続される接続ラインＬ１ａが負荷Ｌｏに接続され、他方の接続端子２０Ｘに対して後で接続される方の第２端子部１２Ｘに接続される接続ラインＬ１ｂが電源Ｅに接続されてもよい。
【００４８】
具体的には、他方の接続端子２０Ｘは、挿通方向Ａに沿った棒状の部材とされており、導電性の材料からなっている。一方の接続端子１０Ｘは、他方の接続端子２０Ｙを挿入する挿入孔Ｈを有する凹状の部材とされており、導電性の材料からなっている。なお、導電性の材料としては、代表的には金属材料を例示できる。このことは、以下に説明する導電性の材料も同様である。
【００４９】
なお、一方の接続端子１０Ｘは、筒状の部材であってもよい。また、第１端子部１１Ｘは、他方の接続端子２０Ｘに対して第２端子部１２Ｘよりも先に接続される形状及び配設位置であれば、何れの形状及び配設位置であってもよい。また、第２端子部１２Ｘは、他方の接続端子２０Ｘに対して第１端子部１１Ｘよりも後で接続される形状及び配設位置であれば、何れの形状及び配設位置であってもよい。
【００５０】
図３は、他方の接続端子２０Ｘが一方の接続端子１０Ｘにおける第１端子部１１Ｘに接続され、さらに第２端子部１２Ｘに接続される状態をキャパシタＣａにチャージされた電圧Ｖｃ及び入力電流Ｉａの時間的変化で示すグラフである。図３において、鎖線はキャパシタＣａにチャージされた電圧Ｖｃ［Ｖ］を示しており、実線は入力電流Ｉａ［Ａ］を示している。なお、破線のβについては後述する。
【００５１】
以上説明した第１実施形態の接続端子１０Ｘ及びそれを備えた接続コネクタ１００では、一対の接続端子１０Ｘ，２０Ｘが互いに挿通（接続）されるにあたり、先ず、一方の接続端子１０Ｘにおける第１及び第２端子部１１Ｘ，１２Ｘのうち、他方の接続端子２０Ｘに対して先に接続される方の第１端子部１１Ｘが他方の接続端子２０Ｘに接続される（図２（ａ）の左側及び図３中のα１参照）。そうすると、他方の接続端子２０Ｘに接続される接続ラインＬ１ａと、第２端子部１２Ｘに接続される接続ラインＬ１ｂとが、他方の接続端子２０Ｘ、第１端子部１１Ｘ、電気抵抗体３０Ｘ、及び、第２端子部１２Ｘを介して、電気的に接続される。この状態において、負荷Ｌｏに流れる入力電流Ｉａが一定の抵抗値を有する電気抵抗体３０Ｘによって制限された状態で安定するのに必要な時間（電流安定化時間Ｔ（図３参照））を経過させることができる。
【００５２】
次に、他方の接続端子２０Ｘに対して後で接続される方の第２端子部１２Ｘが他方の接続端子２０Ｘに接続される（図２（ａ）の右側及び図３中のα２参照）。そうすると、他方の接続端子２０Ｘに接続される接続ラインＬ１ａと、第２端子部１２Ｘに接続される接続ラインＬ１ｂとが、他方の接続端子２０Ｘ及び第２端子部１２Ｘを介して、電気的に接続される。このとき、負荷Ｌｏがオンしている場合には入力電流Ｉａを安定させた状態で負荷Ｌｏに流す状態に、或いは、負荷Ｌｏがオフしている場合にはキャパシタＣａの電圧Ｖｃと電源Ｅの電圧Ｖｅとが同電位となって負荷Ｌｏに電流を流さない状態にすることができる。これにより、突入電流による負荷Ｌｏへの影響を確実に抑制することができ、例えば、電源Ｅ（具体的にはバッテリ）、キャパシタＣａ（具体的には電解コンデンサ）、接続コネクタ１００の寿命を延ばすことが可能となる。
【００５３】
このように、第１実施形態の接続端子１０Ｘ及びそれを備えた接続コネクタ１００によれば、挿通方向Ａにおいて二つに分割されて互いに電気的に絶縁された第１及び第２端子部１１Ｘ，１２Ｘの間に電気抵抗体３０Ｘが電気的に接続され、他方の接続端子２０Ｘに対して後で接続される方の第２端子部１２Ｘが接続ラインＬ１ｂに接続されるので、突入電流による負荷Ｌｏへの影響を確実に抑制することができる上、１本の接続ラインに対して接続端子を一対とすることができ、これにより、接続端子対の数を従来よりも削減することが可能となる。
【００５４】
ところで、一対の接続端子１０Ｘ，２０Ｘを接続する操作者に対しては、電気抵抗体３０Ｘを介して負荷Ｌｏ（具体的にはキャパシタＣａを含む負荷）に流れる入力電流Ｉａが安定したか否か（具体的には負荷Ｌｏがオフしている場合にキャパシタＣａの電圧Ｖｃと電源Ｅの電圧Ｖｅとが同電位となって負荷Ｌｏに電流が流れなくなったこと）を確認させることはできないことから、他方の接続端子２０Ｘが、他方の接続端子２０Ｘに対して先に接続される方の第１端子部１１Ｘに接続されてから、他方の接続端子２０Ｘに対して後で接続される方の第２端子部１２Ｘに接続されるまでに要する時間が電流安定化時間Ｔよりも短いと（図３中のα３参照）、入力電流Ｉａが安定しきらない状態での突入電流（小規模な突入電流β）が発生することがある。
【００５５】
一方、第１端子部１１Ｘが他方の接続端子２０Ｘに接続されている状態においては、電源Ｅと負荷Ｌｏ（具体的にはキャパシタＣａを含む負荷）とが接続されたときに、電源Ｅと負荷Ｌｏとの間に電位差がなくなるまでの間は（具体的にはインバータ回路Ｉｖをオフした状態で負荷Ｌｏに電力が供給されてキャパシタＣａの電圧Ｖｃと電源Ｅの電圧Ｖｅとが同電位になるまでは）電気抵抗体３０Ｘに入力電流Ｉａが流れる。そして、電源Ｅと負荷Ｌｏとの間に電位差がなくなるまでの時間（電気抵抗体３０Ｘに入力電流Ｉａが流れる時間）を電流安定化時間Ｔとすることができる。
【００５６】
かかる観点から、接続端子１０Ｘは、通電により警報を発する警報手段４０を備えていてもよい。
【００５７】
図４は、接続端子１０Ｘに警報手段４０が設けられた構成の一例を示す概略構成図である。図４（ａ）は、警報手段４０が電気抵抗体３０Ｘに対して直列に電気的に接続されている状態を示しており、図４（ｂ）は、警報手段４０が電気抵抗体３０Ｘに対して並列に電気的に接続されている状態を示している。
【００５８】
図４に示すように、警報手段４０は、電気抵抗体３０Ｘに対して直列（図４（ａ）参照）又は並列（図４（ｂ）参照）に電気的に接続されていることが好ましい。
【００５９】
このように、警報手段４０が電気抵抗体３０Ｘに対して直列又は並列に電気的に接続されることで、負荷Ｌｏに対して電源Ｅを接続する際に、電源Ｅと負荷Ｌｏとの間に電位差がある間は警報手段４０が通電する一方で、電源Ｅと負荷Ｌｏとの間に電位差がなくなると、警報手段４０が通電しなくなることで、警報手段４０により、一対の接続端子１０Ｘ，２０Ｘを接続する操作者に対して、電気抵抗体３０Ｘを介して負荷Ｌｏに入力電流Ｉａが流れなくなったことを確認させることができ、ひいては電流安定化時間Ｔを認識させることが可能となる。
【００６０】
警報手段４０は、通電により発光する発光体（具体的にはフィラメントランプ）とされていることが好ましい。このように、警報手段４０として発光体を用いることで、比較的に安価でありながら、操作者に対して、電気抵抗体３０Ｘを介して負荷Ｌｏに入力電流Ｉａが流れなくなったことを確実に確認させることが可能となる。
【００６１】
なお、警報手段４０は、発光体に限定されず、通電により操作者に対して、電気抵抗体３０Ｘを介して負荷Ｌｏに入力電流Ｉａが流れなくなったことを確認させることができれば、何れのものであってもよい。
【００６２】
ところで、一対の接続端子１０Ｘ，２０Ｘが確実に挿通されずに、他方の接続端子２０Ｘが他方の接続端子２０Ａに対して先に接続される方の第１端子部１１Ｘに接続されている状態のままとなった場合において、負荷Ｌｏがオン（動作）状態となって通常動作時の電流が流れ続けると、電気抵抗体３０Ｘが発熱して焼損することがある。
【００６３】
そこで、接続端子１０Ｘは、予め定めた所定温度を超えると電流を遮断する電流遮断手段５０を備えていてもよい。
【００６４】
図５は、接続端子１０Ｘに電流遮断手段５０が設けられた構成の一例を示す概略構成図である。
【００６５】
図５に示すように、電流遮断手段５０は、電気抵抗体３０Ｘに対して直列に電気的に接続されている。こうすることで、たとえ一対の接続端子１０Ｘ，２０Ｘが確実に挿通されずに、他方の接続端子２０Ｘが他方の接続端子２０Ｘに対して先に接続される方の第１端子部１１Ｘに接続されている状態のままとなって通常動作時の電流が流れ続けた場合でも、電気抵抗体３０Ｘの発熱による周囲温度の上昇によって電流遮断手段５０を絶縁状態にさせて電気抵抗体３０Ｘに流れる電流を遮断することができる。これにより、電気抵抗体３０Ｘの焼損の発生を効果的に防止することが可能となる。
【００６６】
電流遮断手段５０は、所定温度を超えると溶断する温度ヒューズとされていることが好ましい。このように、電流遮断手段５０として温度ヒューズを用いることで、安価な構成で電流遮断手段５０を実現することが可能となる。
【００６７】
なお、電流遮断手段５０は、図４に示すような、警報手段４０を備えた接続端子１０Ｘに設けられていてもよい。
【００６８】
（第２実施形態）
第２実施形態に係る接続端子１０Ｙを含む一対の接続端子１０Ｙ，２０Ｙは、互いに挿通されることにより、電気的に接続されるようになっている。
【００６９】
図６は、第２実施形態に係る接続端子１０Ｙを含む一対の接続端子１０Ｙ，２０Ｙを模式的に示す概略構成図である。
【００７０】
図６（ａ）において、左側では一対の接続端子１０Ｙ，２０Ｙの一例において他方の接続端子２０Ｙが一方の接続端子１０Ｙの第１端子部１１Ｙに接続されている状態を示しており、右側では一対の接続端子１０Ｙ，２０Ｙの一例において他方の接続端子２０Ｙが一方の接続端子１０Ｙの第１及び第２端子部１１Ｙ，１２Ｙに接続されている状態を示している。また、図６（ｂ）において、左側では一対の接続端子１０Ｙ，２０Ｙの他の例において他方の接続端子２０Ｙが一方の接続端子１０Ｙの第１端子部１１Ｙに接続されている状態を示しており、右側では一対の接続端子１０Ｙ，２０Ｙの他の例において他方の接続端子２０Ｙが一方の接続端子１０Ｙの第１及び第２端子部１１Ｙ，１２Ｙに接続されている状態を示している。
【００７１】
図６に示すように、一対の接続端子１０Ｙ，２０Ｙのうち、何れか一方の接続端子（この例では接続端子１０Ｙ）は、挿通する側の雄端子又は挿通される側の雌端子（図６（ａ）の例では雌端子、図６（ｂ）の例では雄端子）とされており、他方の接続端子（この例では接続端子２０Ｙ）は、挿通される側の雌端子又は挿通する側の雄側端子（図６（ａ）の例では雄端子、図６（ｂ）の例では雌端子）とされている。
【００７２】
そして、一方の接続端子１０Ｙは、挿通方向Ａにおいて二つに分割されて互いに電気的に接続された第１及び第２端子部１１Ｙ，１２Ｙを備えている。
【００７３】
詳しくは、第１及び第２端子部１１Ｙ，１２Ｙは、互いに電気的に接触した状態で一方のコネクタケース１０１（図１参照）に固定されて設けられている。他方の接続端子２０Ｙは、他方のコネクタケース１０２（図１参照）に固定されて設けられている。
【００７４】
第１及び第２端子部１１Ｙ，１２Ｙのうち、一対の接続端子１０Ｙ，２０Ｙが互いに挿通されるにあたって、他方の接続端子２０Ｙに対して先に接続される方の端子部が第１端子部１１Ｙとされ、他方の接続端子２０Ｙに対して後で接続される方の端子部が第２端子部１２Ｙとされている。
【００７５】
また、第１端子部１１Ｙは、他方の接続端子２０Ｙとの少なくとも接触表面（この例では全体）が電気抵抗体３０Ｙで構成されている。第２端子部１２Ｙは、接続ラインＬ１ｂに接続されている。他方の接続端子２０Ｙに接続される接続ラインＬ１ａは電源Ｅに接続されており、他方の接続端子２０Ｙに対して後で接続される方の第２端子部１２Ｙに接続される接続ラインＬ１ｂが負荷Ｌｏに接続されている。なお、他方の接続端子２０Ｙに接続される接続ラインＬ１ａが負荷Ｌｏに接続され、他方の接続端子２０Ｙに対して後で接続される方の第２端子部１２Ｙに接続される接続ラインＬ１ｂが電源Ｅに接続されてもよい。
【００７６】
具体的には、図６（ａ）に示す例では、他方の接続端子２０Ｙは、挿通方向Ａに沿った棒状の部材とされており、導電性の材料からなっている。一方の接続端子１０Ｙは、他方の接続端子２０Ｙを挿入する挿入孔Ｈを有する凹状の部材とされている。一方の接続端子１０Ｙにおいて、第１端子部１１Ｙ（電気抵抗体３０Ｙ）は、電気抵抗材料（例えば炭素系材料を含む抵抗材料）からなっており、第２端子部１２Ｙは、導電性の材料からなっている。また、図６（ｂ）に示す例では、一方の接続端子１０Ｙは、挿通方向Ａに沿った棒状の部材とされている。一方の接続端子１０Ｙにおいて、第１端子部１１Ｙ（電気抵抗体３０Ｙ）は、電気抵抗材料（例えば炭素系材料を含む抵抗材料）からなっており、第２端子部１２Ｙは、導電性の材料からなっている。他方の接続端子２０Ｙは、一方の接続端子１０Ｙを挿入する挿入孔Ｈを有する凹状の部材とされており、導電性の材料からなっている。ここで、電気抵抗体３０Ｙの抵抗値は、電源回路２００（図１参照）の突入電流によって負荷Ｌｏに影響を与えない程度の抵抗値に設定することができる。
【００７７】
なお、図６（ａ）に示す例では、一方の接続端子１０Ｙは、筒状の部材であってもよい。また、第１端子部１１Ｙは、他方の接続端子２０Ｙに対して第２端子部１２Ｙよりも先に接続される形状及び配設位置であれば、何れの形状及び配設位置であってもよい。図６（ｂ）に示す例では、他方の接続端子２０Ｙは、筒状の部材であってもよい。また、第２端子部１２Ｙは、他方の接続端子２０Ｙに対して第１端子部１１Ｙよりも後で接続される形状及び配設位置であれば、何れの形状及び配設位置であってもよい。
【００７８】
図７は、他方の接続端子２０Ｙが一方の接続端子１０Ｙにおける第１端子部１１Ｙに接続され、さらに第２端子部１２Ｙに接続される状態をキャパシタＣａにチャージされた電圧Ｖｃ及び入力電流Ｉａの時間的変化で示すグラフである。図７において、鎖線はキャパシタＣａにチャージされた電圧Ｖｃ［Ｖ］を示しており、実線は入力電流Ｉａ［Ａ］を示している。なお、破線の抵抗値Ｒａ［Ω］については後述する。
【００７９】
以上説明した第２実施形態の接続端子１０Ｙ及びそれを備えた接続コネクタ１００では、一対の接続端子１０Ｙ，２０Ｙが互いに挿通（接続）されるにあたり、先ず、一方の接続端子１０Ｙにおける第１及び第２端子部１１Ｙ，１２Ｙのうち、他方の接続端子２０Ｙに対して先に接続される方の第１端子部１１Ｙにおける電気抵抗体３０Ｙが他方の接続端子２０Ｙに接続される（図６（ａ）の左側、図６（ｂ）の左側及び図７中のα１参照）。そうすると、他方の接続端子２０Ｙに接続される接続ラインＬ１ａと、第２端子部１２Ｙに接続される接続ラインＬ１ｂとが、他方の接続端子２０Ｙ、第１端子部１１Ｙにおける電気抵抗体３０Ｙ、及び、第２端子部１２Ｙを介して電気的に接続される。この状態において、負荷Ｌｏに流れる入力電流Ｉａが電気抵抗体３０Ｙによって制限された状態で安定するのに必要な時間（電流安定化時間Ｔ（図７参照））を経過させることができる。
【００８０】
次に、他方の接続端子２０Ｙに対して後で接続される方の第２端子部１２Ｙが他方の接続端子２０Ｙに接続される（図６（ａ）の右側、図６（ｂ）の右側及び図７中のα２参照）。そうすると、他方の接続端子２０Ｙに接続される接続ラインＬ１ａと、第２端子部１２Ｙに接続される接続ラインＬ１ｂとが、他方の接続端子２０Ｙ及び第２端子部１２Ｙを介して、電気的に接続される。このとき、負荷Ｌｏがオンしている場合には入力電流Ｉａを安定させた状態で負荷Ｌｏに流す状態に、或いは、負荷Ｌｏがオフしている場合にはキャパシタＣａの電圧Ｖｃと電源Ｅの電圧Ｖｅとが同電位となって負荷Ｌｏに電流を流さない状態にすることができる。これにより、突入電流による負荷Ｌｏへの影響を確実に抑制することができ、例えば、電源Ｅ（具体的にはバッテリ）、キャパシタＣａ（具体的には電解コンデンサ）、接続コネクタ１００の寿命を延ばすことが可能となる。
【００８１】
ところで、前記した第１実施形態においては、既述したとおり、他方の接続端子２０Ｘが、他方の接続端子２０Ｘに対して先に接続される方の第１端子部１１Ｘに接続されてから、他方の接続端子２０Ｘに対して後で接続される方の第２端子部１２Ｘに接続されるまでに要する時間が電流安定化時間Ｔよりも短いと（図３中のα３参照）、入力電流Ｉａが安定しきらない状態での突入電流（小規模な突入電流β）が発生することがある。
【００８２】
この点、本第２実施形態では、他方の接続端子２０Ｙに対して先に接続される方の第１端子部１１Ｙにおいて、電気抵抗体３０Ｙの抵抗値Ｒａ（図７参照）を、他方の接続端子２０Ｙに対して挿通されずに残った部分の抵抗値とすることができる。すなわち、電気抵抗体３０Ｙ及び他方の接続端子２０Ｙを、一対の接続端子１０Ｘ，２０Ｙが互いに挿通されるに従って抵抗値が次第に小さくなる可変抵抗器の如く機能させることができ、他方の接続端子２０Ｙが他方の接続端子２０Ｙに対して先に接続される方の第１端子部１１Ｙに接続されてから、他方の接続端子２０Ｙに対して後で接続される方の第２端子部１２Ｙに接続されるまでに要する時間に関わらず、他方の接続端子２０Ｙが他方の接続端子２０Ｙに対して後で接続される方の第２端子部１２Ｙに接続されるときには、負荷Ｌｏがオンしている場合には電気抵抗体３０Ｙを介して負荷Ｌｏに流れる入力電流Ｉａを既に安定した状態に、或いは、負荷Ｌｏがオフしている場合にはキャパシタＣａの電圧Ｖｃと電源Ｅの電圧Ｖｅとが同電位となって負荷Ｌｏに電流を流さない状態にすることができる。
【００８３】
このように、第２実施形態の接続端子１０Ｙ及びそれを備えた接続コネクタ１００によれば、挿通方向Ａにおいて二つに分割されて互いに電気的に接続された第１及び第２端子部１１Ｙ，１２Ｙのうち、他方の接続端子２０Ｙに対して先に接続される方の第１端子部１１Ｙは、他方の接続端子２０Ｙとの少なくとも接触表面が電気抵抗体３０Ｙで構成され、他方の接続端子２０Ｙに対して後で接続される方の第２端子部１２Ｙが接続ラインＬ１ｂに接続されるので、突入電流による負荷Ｌｏへの影響を確実に抑制することができる上、１本の接続ラインに対して接続端子を一対とすることができ、これにより、接続端子対の数を従来よりも削減することが可能となる。しかも、電気抵抗体３０Ｙ及び他方の接続端子２０Ｙを、一対の接続端子１０Ｙ，２０Ｙが互いに挿通されるに従って抵抗値Ｒａが次第に小さくなる可変抵抗器の如く機能させることができ、これにより、入力電流Ｉａが安定しきらない状態での突入電流の発生を回避することが可能となる。
【００８４】
図８は、図６に示す第２実施形態に係る接続端子１０Ｙにおいて電気抵抗体３０Ｙを層状とした例を模式的に示す概略構成図である。
【００８５】
図８（ａ）において、左側では電気抵抗体３０Ｙを層状とした一例において他方の接続端子２０Ｙが一方の接続端子１０Ｙの第１端子部１１Ｙに接続されている状態を示しており、右側では電気抵抗体３０Ｙを層状とした一例において他方の接続端子２０Ｙが一方の接続端子１０Ｙの第１及び第２端子部１１Ｙ，１２Ｙに接続されている状態を示している。また、図８（ｂ）において、左側では電気抵抗体３０Ｙを層状とした他の例において他方の接続端子２０Ｙが一方の接続端子１０Ｙの第１端子部１１Ｙに接続されている状態を示しており、右側では電気抵抗体３０Ｙを層状とした他の例において他方の接続端子２０Ｙが一方の接続端子１０Ｙの第１及び第２端子部１１Ｙ，１２Ｙに接続されている状態を示している。
【００８６】
図８に示すように、一対の接続端子１０Ｙ，２０Ｙのうち、何れか一方の接続端子（この例では接続端子１０Ｙ）は、挿通する側の雄端子又は挿通される側の雌端子（図８（ａ）の例では雌端子、図８（ｂ）の例では雄端子）とされており、他方の接続端子（この例では接続端子２０Ｙ）は、挿通される側の雌端子又は挿通する側の雄側端子（図８（ａ）の例では雄端子、図８（ｂ）の例では雌端子）とされている。
【００８７】
そして、第１端子部１１Ｙは、絶縁体１１１Ｙと、絶縁体１１１Ｙに設けられて他方の接続端子２０Ｙとの接触表面を構成する電気抵抗体３０Ｙの層１１２Ｙとを備えている。こうすることで、他方の接続端子２０Ｙに対して先に接続される方の第１端子部１１Ｙの構成を簡単にかつ安価に実現することが可能となる。
【００８８】
具体的には、図８（ａ）に示す例では、他方の接続端子２０Ｙは、挿通方向Ａに沿った棒状の部材とされており、導電性の材料からなっている。一方の接続端子１０Ｙは、他方の接続端子２０Ｙを挿入する挿入孔Ｈを有する凹状の部材とされている。一方の接続端子１０Ｙにおいて、第１端子部１１Ｙは、他方の接続端子２０Ｙを挿入する挿入孔Ｈを有する筒状の絶縁体１１１Ｙと、絶縁体１１１Ｙの内周面に設けられた電気抵抗材料（例えば炭素系材料を含む抵抗材料）からなる層１１２Ｙ（具体的にはリング状の電気抵抗体３０Ｙ）とからなっている。絶縁体１１１Ｙは、電気絶縁材料（例えば樹脂材料）からなっている。電気抵抗材料からなる層１１２Ｙ（電気抵抗体３０Ｙ）は、第２端子部１２Ｙに電気的に接触している。第２端子部１２Ｙは、他方の接続端子２０Ｙを挿入する挿入孔Ｈを有する凹状の部材とされており、導電性の材料からなっている。第１端子部１１Ｙと第２端子部１２Ｙとは挿入孔Ｈのサイズが同一とされている。なお、第２端子部１２Ｙは、筒状の部材とされていてもよい。
【００８９】
また、図８（ｂ）に示す例では、一方の接続端子１０Ｙは、挿通方向Ａに沿った棒状の部材とされている。一方の接続端子１０Ｙにおいて、第１端子部１１Ｙは、挿通方向Ａに沿った棒状の絶縁体１１１Ｙと、絶縁体１１１Ｙの外周面に設けられた電気抵抗材料（例えば炭素系材料を含む抵抗材料）からなる層１１２Ｙ（具体的にはリング状の電気抵抗体３０Ｙ）とからなっている。絶縁体１１１Ｙは、電気絶縁材料（例えば樹脂材料）からなっている。電気抵抗材料からなる層１１２Ｙ（電気抵抗体３０Ｙ）は、第２端子部１２Ｙに電気的に接触している。第２端子部１２Ｙは、挿通方向Ａに沿った棒状の部材とされており、導電性の材料からなっている。第１端子部１１Ｙと第２端子部１２Ｙとは幅方向のサイズが同一とされている。他方の接続端子２０Ｙは、一方の接続端子１０Ｙを挿入する挿入孔Ｈを有する凹状の部材とされており、導電性の材料からなっている。なお、他方の接続端子２０Ｙは、筒状の部材とされていてもよい。
【００９０】
図９は、接続コネクタ１００において、もう一対の接続端子１０Ｚ，２０Ｚの一例を備えた接続例を示す概略構成図である。図９（ａ）は、第１実施形態の一対の接続端子１０Ｘ，２０Ｘを備える接続コネクタ１００にもう一対の接続端子１０Ｚ，２０Ｚを設けた例を示しており、図９（ｂ）は、第２実施形態の一対の接続端子１０Ｙ，２０Ｙを備える接続コネクタ１００にもう一対の接続端子１０Ｚ，２０Ｚを設けた例を示している。
【００９１】
図９に示すもう一対の接続端子１０Ｚ，２０Ｚのうち、一方の接続端子１０Ｚは、一方の端子側の接続ラインＬ２ｂに接続されており、他方の接続端子２０Ｚは、他方の端子側の接続ラインＬ２ａに接続されている。
【００９２】
そして、図９（ａ）に示す例では、第１及び第２端子部１１Ｘ，１２Ｘは、互いに離間した状態で機器ユニット１０３に固定されて設けられている。もう一対の接続端子１０Ｚ，２０Ｚの一方の接続端子１０Ｚは、挿通方向Ａにおいて先端（挿通口）Ｑ１が第１端子部１１Ｘの先端（挿通口）Ｑ２と一致するように機器ユニット１０３に固定されて設けられている。もう一対の接続端子１０Ｚ，２０Ｚの他方の接続端子２０Ｚは、挿通方向Ａにおいて先端Ｑ３が他方の接続端子２０Ｘの先端Ｑ４と一致するように基板１０４に固定されて設けられている。
【００９３】
また、図９（ｂ）に示す例では、第１及び第２端子部１１Ｙ，１２Ｙは、互いに電気的に接触した状態で機器ユニット１０３に固定されて設けられている。もう一対の接続端子１０Ｚ，２０Ｚの一方の接続端子１０Ｚは、挿通方向Ａにおいて先端（挿通口）Ｑ１が第１端子部１１Ｙの先端（挿通口）Ｑ２と一致するように機器ユニット１０３に固定されて設けられている。もう一対の接続端子１０Ｚ，２０Ｚの他方の接続端子２０Ｚは、挿通方向Ａにおいて先端Ｑ３が他方の接続端子２０Ｙの先端Ｑ４と一致するように基板１０４に固定されて設けられている。
【００９４】
なお、図９（ａ）に示す例では、もう一対の接続端子１０Ｚ，２０Ｚを、図２（ａ）に示す第１実施形態の接続端子１０Ｘを含む一対の接続端子１０Ｘ，２０Ｘを備える接続コネクタ１００に設けるようにしたが、図２（ｂ）並びに図４及び図５に示す第１実施形態の接続端子１０Ｘを含む一対の接続端子１０Ｘ，２０Ｘを備える接続コネクタ１００に設けるようにしてもよい。また、図９（ｂ）に示す例では、もう一対の接続端子１０Ｚ，２０Ｚを、図６（ａ）に示す第２実施形態の接続端子１０Ｙを含む一対の接続端子１０Ｙ，２０Ｙを備える接続コネクタ１００に設けるようにしたが、図６（ｂ）並びに図８（ａ）及び図８（ｂ）に示す第２実施形態の接続端子１０Ｙを含む一対の接続端子１０Ｙ，２０Ｙを備える接続コネクタ１００に設けるようにしてもよい。
【００９５】
また、この例では、第１実施形態の接続端子１０Ｘを含む一対の接続端子１０Ｘ，２０Ｘ及びもう一対の接続端子１０Ｚ，２０Ｚ並びに第２実施形態の接続端子１０Ｙを含む一対の接続端子１０Ｙ，２０Ｙ及びもう一対の接続端子１０Ｚ，２０Ｚにおいて、一方の接続端子１０Ｘ，１０Ｙと一方の接続端子１０Ｚとで同じタイプの端子（ここでは雌端子）としたが、異なるタイプの端子にしてもよい。具体的には、一方の接続端子１０Ｘ，１０Ｙを雌端子とする場合、一方の接続端子１０Ｚを雄端子にし、一方の接続端子１０Ｘ，１０Ｙを雄端子とする場合、一方の接続端子１０Ｚを雌端子にしてもよい。同様に、他方の接続端子２０Ｘ，２０Ｙと他方の接続端子２０Ｚとで同じタイプの端子（ここでは雄端子）としたが、異なるタイプの端子にしてもよい。具体的には、他方の接続端子２０Ｘ，２０Ｙを雄端子とする場合、他方の接続端子２０Ｚを雌端子にし、他方の接続端子２０Ｘ，２０Ｙを雌端子とする場合、他方の接続端子２０Ｚを雄端子にしてもよい。
【００９６】
第１及び第２実施形態において、接続コネクタ１００を、もう一対の接続端子１０Ｚ，２０Ｚを備えた接続プラグとして使用してもよい。
【００９７】
図１０は、接続コネクタ１００において、もう一対の接続端子１０Ｚ，２０Ｚの他の例を備えた接続例を示す概略構成図である。図１０（ａ）は、図２（ａ）に示す第１実施形態の接続端子１０Ｘを含む一対の接続端子１０Ｘ，２０Ｘを備える接続コネクタ１００にもう一対の接続端子１０Ｚ，２０Ｚを設けた例を示しており、図１０（ｂ）は、図６（ｂ）に示す第２実施形態の接続端子１０Ｙを含む一対の接続端子１０Ｙ，２０Ｙを備える接続コネクタ１００にもう一対の接続端子１０Ｚ，２０Ｚを設けた例を示している。
【００９８】
図１０（ａ）に示すもう一対の接続端子１０Ｚ，２０Ｚのうち、一方の接続端子１０Ｚは、接続ラインＬ３を介して一対の接続端子１０Ｘ，２０Ｘにおける一方の接続端子１０Ｘの第２端子部１２Ｘに接続されており、他方の接続端子２０Ｚは、接続ラインＬ１ｂに接続されている。また、電気抵抗体３０Ｘは、第１端子部１１Ｘともう一対の接続端子１０Ｚ，２０Ｚの一方の接続端子１０Ｚとの間に接続されている。
【００９９】
そして、図１０（ａ）に示す例では、第１及び第２端子部１１Ｘ，１２Ｘは、互いに離間した状態で着脱側プラグケース１０５に固定されて設けられている。もう一対の接続端子１０Ｚ，２０Ｚの一方の接続端子１０Ｚは、挿通方向Ａにおいて先端（挿通口）Ｑ１が第１端子部１１Ｘの先端（挿通口）Ｑ２と一致するように着脱側プラグケース１０５に固定されて設けられている。もう一対の接続端子１０Ｚ，２０Ｚの他方の接続端子２０Ｚは、挿通方向Ａにおいて先端Ｑ３が他方の接続端子２０Ｘの先端Ｑ４と一致するように配線側プラグケース１０６に固定されて設けられている。
【０１００】
図１０（ｂ）に示すもう一対の接続端子１０Ｚ，２０Ｚのうち、一方の接続端子１０Ｚは、接続ラインＬ１ｂに接続されており、他方の接続端子２０Ｚは、接続ラインＬ３を介して一対の接続端子１０Ｙ，２０Ｙにおける他方の接続端子２０Ｙに接続されている。
【０１０１】
そして、図１０（ｂ）に示す例では、第１及び第２端子部１１Ｙ，１２Ｙは、互いに電気的に接触した状態で配線側プラグケース１０６に固定されて設けられている。もう一対の接続端子１０Ｚ，２０Ｚの一方の接続端子１０Ｚは、挿通方向Ａにおいて先端Ｑ３が第１端子部１１Ｙの先端Ｑ４と一致するように配線側プラグケース１０６に固定されて設けられている。もう一対の接続端子１０Ｚ，２０Ｚの他方の接続端子２０Ｚは、挿通方向Ａにおいて先端（挿通口）Ｑ１が他方の接続端子２０Ｙの先端（挿通口）Ｑ２と一致するように着脱側プラグケース１０５に固定されて設けられている。
【０１０２】
なお、図１０（ａ）に示す例では、もう一対の接続端子１０Ｚ，２０Ｚを、図２（ａ）に示す第１実施形態の接続端子１０Ｘを含む一対の接続端子１０Ｘ，２０Ｘを備える接続コネクタ１００に設けるようにしたが、図２（ｂ）並びに図４及び図５に示す第１実施形態の接続端子１０Ｘを含む一対の接続端子１０Ｘ，２０Ｘを備える接続コネクタ１００に設けるようにしてもよい。また、図１０（ｂ）に示す例では、もう一対の接続端子１０Ｚ，２０Ｚを、図６（ｂ）に示す第２実施形態の接続端子１０Ｙを含む一対の接続端子１０Ｙ，２０Ｙを備える接続コネクタ１００に設けるようにしたが、図６（ａ）並びに図８（ａ）及び図８（ｂ）に示す第２実施形態の接続端子１０Ｙを含む一対の接続端子１０Ｙ，２０Ｙを備える接続コネクタ１００に設けるようにしてもよい。
【０１０３】
また、図１０（ａ）に示すもう一対の接続端子１０Ｚ，２０Ｚのうち、一方の接続端子１０Ｚが挿通方向Ａにおいて二つに分割されていてもよい。
【０１０４】
図１１は、図１０（ａ）に示すもう一対の接続端子１０Ｚ，２０Ｚのうち、一方の接続端子１０Ｚが挿通方向Ａにおいて二つに分割された状態を示す概略構成図である。
【０１０５】
図１１に示すように、図１０（ａ）に示すもう一対の接続端子１０Ｚ，２０Ｚにおいて、一方の接続端子１０Ｚが挿通方向Ａにおいて二つに分割された第１及び第２端子部１１Ｚ，１２Ｚを備えている。第１及び第２端子部１１Ｚ、１２Ｚは、それぞれ、一対の接続端子１０Ｘ，２０Ｘにおける第１及び第２端子部１１Ｘ，１２Ｘと同一形状とされ、挿通方向Ａにおいて第１及び第２端子部１１Ｘ，１２Ｘと同一位置に配設されている。
【０１０６】
なお、第１実施形態に係る接続端子１０Ｘにおいて、電流遮断手段５０（図５参照）を設けるようにしたが、第２実施形態に係る接続端子１０Ｙにおいて、電流遮断手段５０を設けるようにしてもよい。
【０１０７】
（接続コネクタの使用例）
次に、本発明に係る接続コネクタの使用例について、先ず、図１２から図１４を参照しながら、従来構成の接続コネクタ（接続プラグ）及びその不都合を説明した後、図１５及び図１６を参照しながら、第１実施形態及び第２実施形態について図１１に示す第１実施形態の構成（接続プラグ）を例にとって以下に説明する。
【０１０８】
図１２は、電源Ｅと負荷Ｌｏとの間を電気的に接続する従来構成の接続コネクタ３１０を用いた電源回路３００を示す概略構成図である。図１２は、接続コネクタ３１０における一対の接続端子１１，１２及びもう一対の接続端子１３，１４を互いに接続していない状態を示している。
【０１０９】
図１２に示す電源回路３００は、電源Ｅと負荷Ｌｏとの間に設けられた一対の接続ラインＬ１，Ｌ２と、一対の接続ラインＬ１，Ｌ２のうち一方のライン（ここでは接続ラインＬ１）上に設けられた接続コネクタ（接続プラグ）３１０と、メインリレー３２０と、突入電流防止用リレー（以下、単に突防リレーという。）３３０と、突入電流防止用抵抗器（以下、単に突防抵抗）３４０、第１及び第２電圧検知手段３５１，３５２と、制御部３６０とを備えている。突防抵抗３４０は、突防リレー３３０に並列に接続されている。
【０１１０】
接続コネクタ３１０は、一対の接続端子１１，１２と、もう一対の接続端子１３，１４とを備えている。一対の接続端子１１，１２のうち、一方の接続端子１１は、挿通する側の雄端子とされており、他方の接続端子１２は、挿通される側の雌端子とされている。もう一対の接続端子１３，１４のうち、一方の接続端子１３も接続端子１１と同様に、挿通する側の雄端子とされており、他方の接続端子１４も接続端子１２と同様に、挿通される側の雌端子とされている。他方の接続端子１２及び他方の接続端子１４は、接続ラインＬ３を介して互いに接続されている。
【０１１１】
一方の接続ラインＬ１は、第１から第４接続ラインＬ１ａ〜Ｌ１ｄを備えている。第１接続ラインＬ１ａは、一端が電源Ｅの一方側の電極（ここでは正極側の電極）に接続され、かつ、他端が接続コネクタ３１０における一方の接続端子１１に接続されている。第２接続ラインＬ１ｂは、一端が接続コネクタ３１０における一方の接続端子１３に接続され、かつ、他端がメインリレー３２０の一方の端子に接続されている。第３接続ラインＬ１ｃは、一端がメインリレー３２０の他方の端子に接続され、かつ、他端が突防リレー３３０及び突防抵抗３４０の一方の端子に接続されている。第４接続ラインＬ１ｄは、一端が突防リレー３３０及び突防抵抗３４０の他方の端子に接続され、かつ、他端がインバータ回路Ｉｖの一方の端子に接続されている。他方の接続ラインＬ２は、一端が電源Ｅの他方側の電極（ここでは負極側の電極）に接続され、かつ、他端がインバータ回路Ｉｖの他方の端子に接続されている。キャパシタＣａは、突防リレー３３０とインバータ回路Ｉｖとの間において、インバータ回路Ｉｖに対して並列に接続されている。
【０１１２】
メインリレー３２０は、例えば、電気自動車等の電気駆動の移動体では、キースイッチとすることができる。突防リレー３３０は、制御部３６０の指示の下、オン・オフするようになっており、制御部３６０の出力系に接続されている。第１電圧検知手段３５１は、電源Ｅの電圧Ｖｅを検知するものであり、制御部３６０の入力系に接続されている。第２電圧検知手段３５２は、キャパシタＣａにチャージされた電圧Ｖｃを検知するものであり、制御部３６０の入力系に接続されている。
【０１１３】
制御部３６０は、メインリレー３２０がオンされて、第２電圧検知手段３５１で検知された電圧Ｖｃが第１電圧検知手段３５２で検知された電圧Ｖｅとなった場合に、突防リレー３３０をオンするようになっている。
【０１１４】
以上説明した従来構成の接続コネクタ３１０を用いた電源回路３００では、負荷Ｌｏを長期間使用しないときには、図１２に示すように、接続コネクタ３１０における一対の接続端子１１，１２及びもう一対の接続端子１３，１４を互いに接続していない状態にしておく。
【０１１５】
図１３は、従来構成の接続コネクタ３１０が接続されたときの制御部による突防リレー３３０の動作状態及び入力電流Ｉａの状態の時間的変化を示す状態遷移図である。図１３（ａ）は、接続コネクタ３１０が接続されてメインリレー３２０及び突防リレー３３０の双方がオフしている状態を示しており、図１３（ｂ）は、メインリレー３２０がオンし、突防リレー３３０がオフして電源Ｅからの電力が突防抵抗３４０を介してキャパシタＣａに充電（プリチャージ）されている状態を示しており、図１３（ｃ）は、キャパシタＣａの電圧Ｖｃが電源Ｅの電圧Ｖｅになって入力電流Ｉａが流れていない状態（プリチャージ完了状態）を示しており、図１３（ｄ）は、メインリレー３２０及び突防リレー３３０の双方がオンして負荷Ｌｏに対して通常動作時の入力電流Ｉａが流れている状態を示している。なお、図１３において、図１２に示す第１及び第２電圧検知手段３５１，３５２並びに制御部３６０は、図示を省略している。
【０１１６】
図１２に示す状態において、負荷Ｌｏを使用とするときに、接続コネクタ３１０が接続され（図３（ａ）参照）、メインスイッチ３２０がオンされると（図３（ｂ）参照）、負荷Ｌｏがオフしている場合、電源Ｅから、接続コネクタ３１０、メインリレー３２０及び突防抵抗３４０を経てキャパシタＣａに電力が供給される。次に、第２電圧検知手段３５２で検知された電圧Ｖｅが第１電圧検知手段３５１で検知された電圧Ｖｃになると（図３（ｃ）参照）、突防リレー３３０をオンし（図３（ｄ）参照）、負荷Ｌｏがオン（動作）すると、負荷Ｌｏに通常動作時の入力電流Ｉａが流れる。
【０１１７】
かかる従来構成の接続コネクタ３１０を用いた電源回路３００では、突入電流による負荷Ｌｏへの影響を回避できるものの、突入電流の発生は、電源Ｅが接続された瞬間（例えば数秒程度）だけであるに拘わらず、メインリレー３２０、突防リレー３３０、突防抵抗３４０、第１及び第２電圧検知手段３５１，３５２並びに制御部３６０を備えるために、コストパフォーマンスがよくない。
【０１１８】
そこで、例えば、メインリレー３２０、突防リレー３３０、突防抵抗３４０、第１及び第２電圧検知手段３５１，３５２並びに制御部３６０を取り除いてしまうと、次のような不都合がある。
【０１１９】
図１４は、図１２及び図１３に示す電源回路３００においてメインリレー３２０、突防リレー３３０、突防抵抗３４０、第１及び第２電圧検知手段３５１，３５２並びに制御部３６０を取り除いた状態を示す概略構成図である。図１４（ａ）は、接続コネクタ３１０における一対の接続端子１１，１２及びもう一対の接続端子１３，１４を互いに接続していない状態を示しており、図１４（ｂ）は、接続コネクタ３１０が接続された瞬間の状態を示しており、図１４（ｃ）は、負荷Ｌｏに突入電流が流れている状態を示している。
【０１２０】
図１４に示す電源回路３００では、接続コネクタ３１０における一対の接続端子１１，１２及びもう一対の接続端子１３，１４を互いに接続していない状態から（図１４（ａ）参照）、接続コネクタ３１０を接続すると、火花が発生し（図１４（ｂ）参照）、負荷Ｌｏに非常に過大な入力電流Ｉａ（突入電流）が流れる（図１４（ｃ）参照）。
【０１２１】
図１４に示す電源回路３００によると、一対の接続端子３１０を接続する操作者の安全性が低下し、一対の接続端子３１０の寿命が低下し、キャパシタＣａ（具体的には電解コンデンサ）の寿命が低下し、さらには電源Ｅ（具体的にはバッテリ）の寿命が低下する。しかも、場合によっては一対の接続端子１１，１２及びもう一対の接続端子１３，１４が溶着してしまうという不都合が発生する恐れもある。
【０１２２】
このことは、例えば、電源Ｅの内部抵抗が小さく、電源Ｅの電力が数ｋＷと大きく、また、キャパシタＣａの容量が大きく、キャパシタＣａの入力インピーダンスが小さい電源回路（具体的には電気自動車における電源回路）に用いられるような場合に特に顕著となる。
【０１２３】
この点、本第１及び第２実施形態では、簡単な構成でありながら突入電流による負荷Ｌｏへの影響を確実に抑制することができる。これについて、図１１に示す第１実施形態の接続コネクタ（接続プラグ）１００を例にとって説明する。
【０１２４】
図１５及び図１６は、図１１に示す第１実施形態の接続コネクタ１００が接続されたときの入力電流Ｉａの状態の時間的変化を示す状態遷移図である。なお、図１５及び図１６において、配線側プラグケース１０６は図示を省略している。
【０１２５】
図１５（ａ）は、接続コネクタ１００における一対の接続端子１０Ｘ，２０Ｘ及びもう一対の接続端子１０Ｚ，２０Ｚを互いに接続していない状態を示しており、図１５（ｂ）は、接続コネクタ１００における他方の接続端子２０Ｘ，２０Ｚが第１端子部１１Ｘ，１１Ｚに接続されている状態を示しており、図１５（ｃ）は、電源Ｅからの電力が電気抵抗体３０Ｘを介してキャパシタＣａに充電（プリチャージ）されている状態を示している。
【０１２６】
また、図１６（ａ）は、キャパシタＣａの電圧Ｖｃが電源Ｅの電圧Ｖｅになって入力電流Ｉａが流れていない状態（プリチャージ完了状態）を示しており、図１６（ｂ）は、接続コネクタ１００における他方の接続端子２０Ｘ，２０Ｚが第１端子部１１Ｘ，１１Ｚ及び第２端子部１２Ｘ，１２Ｚに接続されている状態を示しており、図１６（ｃ）は、負荷Ｌｏに対して通常動作時の入力電流Ｉａが流れている状態を示している。
【０１２７】
図１５及び図１６に示す接続コネクタ１００を用いた電源回路２００では、負荷Ｌｏを長期間使用しないときには、接続コネクタ１００における一対の接続端子１０Ｘ，２０Ｘ及びもう一対の接続端子１０Ｚ，２０Ｚを互いに接続していない状態にしておく（図１５（ａ）参照）。
【０１２８】
この状態において、負荷Ｌｏを使用とするときに、接続コネクタ１００における他方の接続端子２０Ｘ，２０Ｚが第１端子部１１Ｘ，１１Ｚに接続されると（図１５（ｂ）参照）、負荷Ｌｏがオフしている場合、電源Ｅから、接続コネクタ１００における他方の接続端子２０Ｘ、第１端子部１１Ｘ、電気抵抗体３０Ｘ、第１端子部１１Ｚ及び他方の接続端子２０Ｚを経てキャパシタＣａに電力が供給される（図１５（ｃ）参照）。次に、キャパシタＣａの電圧Ｖｃが電源Ｅの電圧Ｖｅとなると（図１６（ａ）参照）、接続コネクタ１００における他方の接続端子２０Ｘ，２０Ｚが第１端子部１１Ｘ，１１Ｚ及び第２端子部１２Ｘ，１２Ｚに接続され（図１６（ｂ）参照）、負荷Ｌｏがオン（動作）すると、負荷Ｌｏに通常動作時の入力電流Ｉａが流れる（図１６（ｃ）参照）。これにより、簡単な構成でありながら突入電流による負荷Ｌｏへの影響を確実に抑制することが可能となる。
【符号の説明】
【０１２９】
１０Ｘ，１０Ｙ  一方の接続端子
２０Ｘ，２０Ｙ  他方の接続端子
１１Ｘ，１２Ｘ  第１及び第２端子部
１１Ｙ，１２Ｙ  第１及び第２端子部
３０Ｘ          電気抵抗体
３０Ｙ          電気抵抗体
４０            警報手段
５０            電流遮断手段
１００          接続コネクタ
１０１，１０２  コネクタケース
１０３          機器ユニット
１０４          基板
１０５          着脱側プラグケース
１０６          配線側プラグケース
２００          電源回路
３００          電源回路
Ａ              挿通方向
Ｃａ            キャパシタ
Ｅ              電源
Ｉｖ            インバータ回路
Ｌｏ            負荷
Ｌ１            接続ライン
Ｌ１ａ          接続ライン
Ｌ１ｂ          接続ライン
Ｌ２            接続ライン
Ｌ３            接続ライン
【手続補正２】
【補正対象書類名】特許請求の範囲
【補正対象項目名】全文
【補正方法】変更
【補正の内容】
【特許請求の範囲】
【請求項１】
他方の接続端子に挿通されて電気的に接続される接続端子であって、
挿通方向において二つに分割されて互いに電気的に絶縁された第１及び第２端子部と、前記第１及び第２端子部の間に電気的に接続される電気抵抗体とを備え、
前記第１及び第２端子部のうち、当該接続端子と前記他方の接続端子とで構成される一対の接続端子が互いに挿通されるにあたって、前記他方の接続端子に対して先に接続される方の端子部が前記第１端子部とされ、前記他方の接続端子に対して後で接続される方の端子部が前記第２端子部とされ、
前記第２端子部が接続ラインに接続されることを特徴とする接続端子。
【請求項２】
請求項１に記載の接続端子であって、
通電により警報を発する警報手段を備え、
前記警報手段は、前記電気抵抗体に直列又は並列に電気的に接続されることを特徴とする接続端子。
【請求項３】
請求項２に記載の接続端子であって、
前記警報手段は、通電により発光する発光体であることを特徴とする接続端子。
【請求項４】
請求項１から請求項３までの何れか１項に記載の接続端子であって、
予め定めた所定温度を超えると電流を遮断する電流遮断手段を備え、
前記電流遮断手段は、前記電気抵抗体に直列に電気的に接続されることを特徴とする接続端子。
【請求項５】
請求項４に記載の接続端子であって、
前記電流遮断手段は、前記所定温度を超えると溶断する温度ヒューズであることを特徴とする接続端子。
【請求項６】
他方の接続端子に挿通されて電気的に接続される接続端子であって、
挿通方向において二つに分割されて互いに電気的に接続された第１及び第２端子部を備え、
前記第１及び第２端子部のうち、当該接続端子と前記他方の接続端子とで構成される一対の接続端子が互いに挿通されるにあたって、前記他方の接続端子に対して先に接続される方の端子部が前記第１端子部とされ、前記他方の接続端子に対して後で接続される方の端子部が前記第２端子部とされ、
前記第１端子部は、前記他方の接続端子との少なくとも接触表面が電気抵抗体で構成され、前記第２端子部が接続ラインに接続されることを特徴とする接続端子。
【請求項７】
請求項６に記載の接続端子であって、
前記第１端子部は、絶縁体と、前記絶縁体に設けられて前記接触表面を構成する前記電気抵抗体の層とを備えていることを特徴とする接続端子。
【請求項８】
請求項１から請求項７までの何れか１項に記載の接続端子を備えていることを特徴とする接続コネクタ。